(57)【要約】【解決手段】本発明はチャネル内容の変更通知とチャネル再検出の方法である。基地局は配置されたマルチメディア・ブロードキャスト・マルチキャスト・サービス（ＭＢＭＳ）の一対多制御チャネル（ＭＣＣＨ）の伝送内容に変更があったと判断し、物理下り制御チャネル（ＰＤＣＣＨ）により前記ＭＣＣＨ伝送内容の変更通知を端末に送信し、端末はＰＤＣＣＨにおいて前記通知を受信した後、前記通知に基づいて前記ＭＣＣＨを再検出する。本発明は又、一種のチャネル再検出システム及び装置を公開した。本発明により、端末はＭＣＣＨ伝送内容に変更があったかどうかが分かるようになり、変更があった際のみ当該ＭＣＣＨを再検出するようにし、当該ＭＣＣＨを周期的に再検出する必要を無くし、端末のリソースを節約する。【選択図】なし
2013500643.tif 000002
【特許請求の範囲】
【請求項１】
基地局が配置されたマルチメディア・ブロードキャスト・マルチキャスト・サービス（Ｍｕｌｔｉｍｅｄｉａ  Ｂｒｏａｄｃａｓｔ    ａｎｄ  Ｍｕｌｔｉｃａｓｔ  Ｓｅｒｖｉｃｅ，ＭＢＭＳ）の一対多制御チャネル（Ｍｕｌｔｉｐｏｉｎｔ  Ｃｏｎｔｒｏｌ  Ｃｈａｎｎｅｌ，ＭＣＣＨ）伝送内容に変更があったと判断するステップと、
基地局が物理下り制御チャネル（Ｐｈｙｓｉｃａｌ  ｄｏｗｎｌｉｎｋ  ｃｏｎｔｒｏｌ  ｃｈａｎｎｅｌ，ＰＤＣＣＨ）により、前記ＭＣＣＨ伝送内容の変更通知を端末に送信するステップとを含むことを特徴とするチャネル内容の変更通知方法。
【請求項２】
前記基地局がＰＤＣＣＨにより前記ＭＣＣＨ伝送内容の変更通知を端末に送信するステップが、
前記基地局は前記ＭＣＣＨ伝送内容変更を通知するための第１制御シグナリングＤＣＩを生成するステップと、
前記第１ＤＣＩに対応する、予め定義された第１無線ネットワーク一時識別子ＲＮＴＩを使用して、前記第１ＤＣＩをスクランブリングするステップと、
スクランブリングされた第１ＤＣＩを前記ＰＤＣＣＨにより端末に送信するステップとを含むことを特徴とする請求項１に記載のチャネル内容の変更通知方法。
【請求項３】
前記基地局が前記ＭＣＣＨ伝送内容の変更通知をＰＤＣＣＨにより端末に送信することが、
前記基地局は長期進化システムにおけるセル専用の第２ＲＮＴＩに対応する第２ＤＣＩを生成するステップと、
予め定義された第１ＲＮＴＩと前記第二第２ＲＮＴＩとを使用して前記第２ＤＣＩをスクランブリングするステップと、
スクランブリングされた第２ＤＣＩを前記ＰＤＣＣＨにより端末に送信するステップとを含むことを特徴とする請求項１に記載のチャネル内容の変更通知方法。
【請求項４】
前記基地局が第１ＤＣＩを生成するステップが、
前記基地局は前記ＭＣＣＨの数量、又は前記ＭＣＣＨの数量と前記ＭＣＣＨの変更された伝送内容とに基づき、予め設定されたビット長の中から一種のビット長を選定し、当該ビット長のＤＣＩを生成して第１ＤＣＩにするステップＡと、
または前記基地局は前記ＭＣＣＨの数量、又は前記ＭＣＣＨの数量と前記ＭＣＣＨの変更された伝送内容とに基づき、長期進化システムに既存のＤＣＩフォーマットの中から一種のＤＣＩフォーマットを選定し、当該ＤＣＩフォーマットと同じビット長を有するＤＣＩを生成して第１ＤＣＩにするステップＢとをさらに含むことを特徴とする請求項２に記載のチャネル内容の変更通知方法。
【請求項５】
前記ＬＴＥシステムに既存のＤＣＩフォーマットが、前記ＰＤＣＣＨの共通検索領域内での伝送のためのフォーマット１Ａ・フォーマット１Ｃ・フォーマット３又はフォーマット３Ａを含むことを特徴とする請求項４に記載のチャネル内容の変更通知方法。
【請求項６】
前記ステップＡが、
前記ＭＣＣＨが一つのＭＣＣＨである場合、１ビット長のＤＣＩを生成して第１ＤＣＩにするステップ、又は
前記ＭＣＣＨが一つのＭＣＣＨであり、且つ前記第１ＤＣＩで前記一つのＭＣＣＨの変更された伝送内容を伝送する場合、当該変更された伝送内容を表示するために必要とするビット長以上のビット長を有するＤＣＩを生成して第１ＤＣＩにするステップ、
又は前記ＭＣＣＨが複数のＭＣＣＨである場合、Ｎビット長を有するＤＣＩを生成して第１ＤＣＩにし、前記複数のＭＣＣＨにおける各ＭＣＣＨに対して、第１ＤＣＩ内の当該ＭＣＣＨに対応するビットの値を当該ＭＣＣＨ伝送内容変更を表示するためのデータに設定し、前記Ｎは前記基地局がカバーするセルに収容されるＭＣＣＨの個数であるステップ、又は、
前記ＭＣＣＨが複数のＭＣＣＨであり、且つ前記第１ＤＣＩで前記複数のＭＣＣＨの変更された伝送内容を伝送する場合、Ｎ個のデータセグメントを含むＤＣＩを生成して第１ＤＣＩにし、前記複数のＭＣＣＨにおける各ＭＣＣＨに対して、第１ＤＣＩ内において当該ＭＣＣＨに対応するデータセグメントの特定ビットの値を当該ＭＣＣＨ伝送内容変更を表示するためのデータに設定し、又、当該データセグメント内の他のビットに当該ＭＣＣＨの変更された伝送内容を含ませるステップをさらに含むことを特徴とする請求項４に記載のチャネル内容の変更通知方法。
【請求項７】
前記ステップＢが、
前記ＭＣＣＨが一つのＭＣＣＨである場合、ＬＴＥシステムに既存の最小ビット長のＤＣＩフォーマットを選定し、当該ＤＣＩフォーマットと同じビット長を有するＤＣＩを生成して第１ＤＣＩにするステップ、
又は前記ＭＣＣＨが一つのＭＣＣＨであり、且つ前記一つのＭＣＣＨの変更された伝送内容を前記第１ＤＣＩにより伝送する場合、ＬＴＥシステムに既存の、当該変更された伝送内容を表示するために必要とするビット長以上のビット長を有するＤＣＩフォーマットを選定し、当該ＤＣＩフォーマットと同じビット長を有するＤＣＩを生成して第１ＤＣＩにし、第１ＤＣＩに前記一つのＭＣＣＨの変更された伝送内容を含ませるステップ、
又は前記ＭＣＣＨが複数のＭＣＣＨである場合、ＬＴＥシステムに既存のＮビット以上のビット長を有するＤＣＩフォーマットを選定し、当該ＤＣＩフォーマットと同じビット長を有するＤＣＩを生成して第１ＤＣＩにし、前記複数のＭＣＣＨにおける各ＭＣＣＨに対して、第１ＤＣＩ内の当該ＭＣＣＨに対応するビットの値を当該ＭＣＣＨ伝送内容変更を表示するためのデータに設定し、前記Ｎは前記基地局がカバーするセルに収容されるＭＣＣＨの個数であるステップ、
又は前記ＭＣＣＨが複数のＭＣＣＨであり、且つ前記複数のＭＣＣＨの変更された伝送内容を前記第１ＤＣＩにより伝送する場合、ＬＴＥシステムに既存のＮ個のデータセグメントビット長以上のビット長を有するＤＣＩフォーマットを選定し、当該ＤＣＩフォーマットと同じビット長を有するＤＣＩを生成して第１ＤＣＩにし、前記複数のＭＣＣＨにおける各ＭＣＣＨに対して、第１ＤＣＩ内において当該ＭＣＣＨに対応するデータセグメント内の特定ビットの値を当該ＭＣＣＨ伝送内容変更を表示するためのデータに設定し、又、当該データセグメント内の他のビットに当該ＭＣＣＨの変更された伝送内容を含ませるステップをさらに含むことを特徴とする請求項４に記載のチャネル内容の変更通知方法。
【請求項８】
前記第１ＲＮＴＩおよび第２ＲＮＴＩを使用して前記第２ＤＣＩをスクランブリングするステップが、
前記第１ＲＮＴＩおよび第２ＲＮＴＩに対して数学演算を実行して得られた第３ＲＮＴＩで前記第２ＤＣＩをスクランブリングするステップ、
又は前記第１ＲＮＴＩおよび第２ＲＮＴＩをそれぞれ使用して前記第２ＤＣＩを１回スクランブリングするステップを含むことを特徴とする請求項３に記載のチャネル内容の変更通知方法。
【請求項９】
前記基地局が前記第３ＲＮＴＩを保留し、前記第３ＲＮＴＩを端末に割り当てないことを特徴とする請求項８に記載のチャネル内容の変更通知方法。
【請求項１０】
前記第２ＲＮＴＩがページングＲＮＴＩ、システム情報ＲＮＴＩ又はランダムアクセスＲＮＴＩを含むことを特徴とする請求項３又は請求項８に記載のチャネル内容の変更通知方法。
【請求項１１】
端末が物理下り制御チャネル（Ｐｈｙｓｉｃａｌ  ｄｏｗｎｌｉｎｋ  ｃｏｎｔｒｏｌ  ｃｈａｎｎｅｌ，ＰＤＣＣＨ）において基地局から送信されたマルチメディア・ブロードキャスト・マルチキャスト・サービス（Ｍｕｌｔｉｍｅｄｉａ  Ｂｒｏａｄｃａｓｔ    ａｎｄ  Ｍｕｌｔｉｃａｓｔ  Ｓｅｒｖｉｃｅ，ＭＢＭＳ）の一対多制御チャネル（Ｍｕｌｔｉｐｏｉｎｔ  Ｃｏｎｔｒｏｌ  Ｃｈａｎｎｅｌ，ＭＣＣＨ）伝送内容の変更通知を受信するステップと、
端末は前記通知に基づいて前記ＭＣＣＨを再検出するステップとを含むことを特徴とするチャネル再検出方法。
【請求項１２】
前記端末がＰＤＣＣＨにおいて基地局から送信されたＭＣＣＨ伝送内容の変更通知を受信するステップが、
前記端末は前記ＰＤＣＣＨにおいて制御シグナリングＤＣＩを受信し、前記ＤＣＩのスクランブリング処理に使用した無線ネットワーク一時識別子ＲＮＴＩが第１ＲＮＴＩであるか否かを検出し、第１ＲＮＴＩである場合、前記ＤＣＩは前記ＭＣＣＨ伝送内容変更を通知するための第１ＤＣＩであり、前記第１ＲＮＴＩは前記第１ＤＣＩに対応する予め定義されたＲＮＴＩであると確認するステップ、
又は前記端末は前記ＰＤＣＣＨにおいて制御シグナリングＤＣＩを受信し、前記ＤＣＩのスクランブリング処理に前記第１ＲＮＴＩおよび長期進化システムにおけるセル専用の第２ＲＮＴＩを使用したか否かを検出し、使用した場合、前記ＤＣＩは前記第２ＲＮＴＩに対応する第２ＤＣＩであると確認し、当該第２ＤＣＩを前記ＭＣＣＨ伝送内容変更の通知シグナリングとするステップを含むことを特徴とする請求項１１に記載のチャネル再検出方法。
【請求項１３】
前記ＤＣＩのスクランブリング処理に第１ＲＮＴＩおよび第２ＲＮＴＩを使用したか否かを検出するステップが、
前記ＤＣＩのスクランブリング処理に使用したＲＮＴＩは、前記第１ＲＮＴＩおよび第２ＲＮＴＩに対して数学演算を実行して得られた第３ＲＮＴＩであるか否かを判断し、第３ＲＮＴＩである場合、前記ＤＣＩのスクランブリング処理に第１ＲＮＴＩおよび第２ＲＮＴＩを使用したと確認するステップ、
又は前記第１ＲＮＴＩおよび第２ＲＮＴＩをそれぞれ使用して前記ＤＣＩを１回スクランブリングしたか否かを判断し、そうである場合、前記ＤＣＩのスクランブリング処理に第１ＲＮＴＩおよび第２ＲＮＴＩを使用したと確認するステップを含むことを特徴とする請求項１２に記載のチャネル再検出方法。
【請求項１４】
前記端末が前記通知に基づいて前記ＭＣＣＨを再検出するステップが、
予め設定された通知送信時間とＭＣＣＨ識別子との第１対応関係に基づき、前記第１ＤＣＩ又は第２ＤＣＩを受信する時間に対応するＭＣＣＨ識別子を確認し、当該ＭＣＣＨ識別子に対応するＭＣＣＨを再検出するステップ、
又は予め設定されたＲＮＴＩとＭＣＣＨ識別子との第２対応関係に基づき、前記第１ＤＣＩ又は第２ＤＣＩのスクランブリング処理に使用されたＲＮＴＩに対応するＭＣＣＨ識別子を確認し、当該ＭＣＣＨ識別子に対応するＭＣＣＨを再検出するステップ、
又は予め設定されたビット位置とＭＣＣＨ識別子との第３対応関係に基づき、前記第１ＤＣＩ内の値が?定?であるビット位置に対応するＭＣＣＨ識別子を確認し、当該ＭＣＣＨ識別子に対応するＭＣＣＨを再検出するステップ、
又は前記第１ＤＣＩに含まれる各データセグメントに対して、当該データセグメント内の特定ビットの値が設定値である場合、予め設定されたデータセグメント位置とＭＣＣＨ識別子との第３対応関係に基づき、当該データセグメント位置に対応するＭＣＣＨ識別子を確認し、当該ＭＣＣＨ識別子に対応するＭＣＣＨを再検出するステップを含むことを特徴とする請求項１２に記載のチャネル再検出方法。
【請求項１５】
前記端末が前記通知に基づいて前記ＭＣＣＨを再検出する前、
前記端末は前記ＭＣＣＨの変更された全部の伝送内容が前記通知に含まれているか否かを判断するステップをさらに含み、
前記通知に基づいて前記ＭＣＣＨを再検出するステップが、
前記端末は前記ＭＣＣＨの変更された全部の伝送内容が前記通知に含まれていないと判断する場合、前記ＭＣＣＨを再検出するステップを含むことを特徴とする請求項１１乃至請求項１４の何れか１つに記載のチャネル再検出方法。
【請求項１６】
配置されたマルチメディア・ブロードキャスト・マルチキャスト・サービス（Ｍｕｌｔｉｍｅｄｉａ  Ｂｒｏａｄｃａｓｔ    ａｎｄ  Ｍｕｌｔｉｃａｓｔ  Ｓｅｒｖｉｃｅ，ＭＢＭＳ）の一対多制御チャネルＭＣＣＨ伝送内容に変更があったと判断する場合、物理下り制御チャネル（Ｐｈｙｓｉｃａｌ  ｄｏｗｎｌｉｎｋ  ｃｏｎｔｒｏｌ  ｃｈａｎｎｅｌ，ＰＤＣＣＨ）により前記（Ｍｕｌｔｉｐｏｉｎｔ  Ｃｏｎｔｒｏｌ  Ｃｈａｎｎｅｌ，ＭＣＣＨ）伝送内容の変更通知を端末に送信する基地局と、
前記ＰＤＣＣＨにおいて前記通知を受信し、前記通知に基づいて前記ＭＣＣＨを再検出する端末とを有することを特徴とするチャネル再検出システム。
【請求項１７】
前記基地局が、
前記ＭＣＣＨ伝送内容変更を通知するための第１制御シグナリングＤＣＩを生成し、前記第１ＤＣＩに対応する予め定義された第１無線ネットワーク一時識別子ＲＮＴＩを使用して前記第１ＤＣＩをスクランブリングし、スクランブリングされた第１ＤＣＩを前記ＰＤＣＣＨにより端末に送信し、
前記端末が、
前記ＰＤＣＣＨにおいてＤＣＩを受信した後、前記ＤＣＩのスクランブリング処理に使用したＲＮＴＩが第１ＲＮＴＩであるか否かを検出し、第１ＲＮＴＩである場合、受信したＤＣＩは前記第１ＤＣＩであると確認することを特徴とする請求項１６に記載のチャネル再検出システム。
【請求項１８】
前記基地局が、
長期進化システムにおけるセル専用の第２ＲＮＴＩに対応する第２ＤＣＩを生成し、予め定義された第１ＲＮＴＩと前記第二第２ＲＮＴＩとを使用して前記第２ＤＣＩをスクランブリングし、スクランブリングされた第２ＤＣＩを前記ＰＤＣＣＨにより端末に送信すし、
前記端末が、
前記ＰＤＣＣＨにおいて制御シグナリングＤＣＩを受信し、前記ＤＣＩのスクランブリング処理に前記第１ＲＮＴＩおよび第２ＲＮＴＩを使用したか否かを検出し、使用した場合、前記ＤＣＩが前記第２ＲＮＴＩに対応する第２ＤＣＩであると確認し、当該第２ＤＣＩを前記ＭＣＣＨ伝送内容変更の通知シグナリングとすることを特徴とする請求項１６に記載のチャネル再検査システム。
【請求項１９】
前記基地局が、
更に、前記ＭＣＣＨの変更された伝送内容を前記通知に含ませ、
前記端末が、
更に、前記ＭＣＣＨの変更された全部の伝送内容が前記通知に含まれているか否かを判断し、前記通知に全部含まれていると判断する場合、前記ＭＣＣＨを再検出することを特徴とする請求項１６乃至請求項１８の何れか１つに記載のチャネル再検出システム。
【請求項２０】
配置されたマルチメディア・ブロードキャスト・マルチキャスト・サービス（Ｍｕｌｔｉｍｅｄｉａ  Ｂｒｏａｄｃａｓｔ    ａｎｄ  Ｍｕｌｔｉｃａｓｔ  Ｓｅｒｖｉｃｅ，ＭＢＭＳ）の一対多制御チャネル（Ｍｕｌｔｉｐｏｉｎｔ  Ｃｏｎｔｒｏｌ  Ｃｈａｎｎｅｌ，ＭＣＣＨ）伝送内容の変更があったか否かを確認する変更確認手段と、
前記変更確認手段によりＭＣＣＨ伝送内容に変更有と確認する場合、物理下り制御チャネル（Ｐｈｙｓｉｃａｌ  ｄｏｗｎｌｉｎｋ  ｃｏｎｔｒｏｌ  ｃｈａｎｎｅｌ，ＰＤＣＣＨ）により前記ＭＣＣＨ伝送内容の変更通知を端末に送信する変更通知手段とを有することを特徴とする基地局。
【請求項２１】
前記変更通知手段が、
前記ＭＣＣＨ伝送内容変更を通知するための第１制御シグナリングＤＣＩを生成する第１シグナリング生成手段と、
前記第１ＤＣＩに対応する予め定義された第１無線ネットワーク一時識別子ＲＮＴＩを使用し、前記第１ＤＣＩをスクランブリングする第１シグナリングスクランブリング手段と、
前記第１シグナリングスクランブリング手段でスクランブリングされた第１ＤＣＩを前記ＰＤＣＣＨにより端末に送信する第１シグナリング送信手段とをさらに含むことを特徴とする請求項２０に記載の基地局。
【請求項２２】
前記変更通知手段が、
長期進化ＬＴＥシステムにおけるセル専用の第２ＲＮＴＩに対応する第２ＤＣＩを生成する第２シグナリング生成手段と、
予め定義された第１ＲＮＴＩと前記第二第２ＲＮＴＩとを使用して前記第２ＤＣＩをスクランブリングする第２シグナリングスクランブリング手段と、
前記第２シグナリングスクランブリング手段でスクランブリングされた第２ＤＣＩを前記ＰＤＣＣＨにより送信する第２シグナリング送信手段とをさらに含むことを特徴とする請求項２０に記載の基地局。
【請求項２３】
前記第２シグナリングスクランブリング手段が、
前記第１ＲＮＴＩと第２ＲＮＴＩとに対して数学演算を実行して得られた第３ＲＮＴＩで前記第２ＤＣＩをスクランブリングする数学スクランブリング手段と、
前記第１ＲＮＴＩと第２ＲＮＴＩとをそれぞれ使用して前記第２ＤＣＩを１回スクランブリングするシリアルスクランブリング手段とをさらに有することを特徴とする請求項２２に記載の基地局。
【請求項２４】
物理下り制御チャネル（Ｐｈｙｓｉｃａｌ  ｄｏｗｎｌｉｎｋ  ｃｏｎｔｒｏｌ  ｃｈａｎｎｅｌ，ＰＤＣＣＨ）において基地局から送信されるマルチメディア・ブロードキャスト・マルチキャスト・サービス（Ｍｕｌｔｉｍｅｄｉａ  Ｂｒｏａｄｃａｓｔ    ａｎｄ  Ｍｕｌｔｉｃａｓｔ  Ｓｅｒｖｉｃｅ，ＭＢＭＳ）の一対多制御チャネル（Ｍｕｌｔｉｐｏｉｎｔ  Ｃｏｎｔｒｏｌ  Ｃｈａｎｎｅｌ，ＭＣＣＨ）伝送内容の変更通知を受信する変更通知受信手段と、
前記通知に基づいて前記ＭＣＣＨを再検出するチャネル再検出手段とを含むことを特徴とする端末。
【請求項２５】
前記変更通知受信手段が、
前記端末が前記ＰＤＣＣＨにおいて制御シグナリングＤＣＩを受信するシグナリング受信手段と、
前記ＤＣＩのスクランブリング処理に使用した無線ネットワーク一時識別子ＲＮＴＩは第１無線ネットワーク一時識別子ＲＮＴＩであるか否かを検出し、第１無線ネットワーク一時識別子ＲＮＴＩである場合、前記ＤＣＩは前記ＭＣＣＨ伝送内容変更を通知するための第１ＤＣＩであり、前記第１ＤＣＩに対応する前記第１ＲＮＴＩは予め定義されたＲＮＴＩであると確認し、
又は、前記ＤＣＩのスクランブリング処理に前記第１ＲＮＴＩおよび長期進化システムにおけるセル専用の第２ＲＮＴＩを使用したか否かを検出し、使用した場合、前記ＤＣＩは前記第２ＲＮＴＩに対応する第２ＤＣＩであると確認し、当該第２ＤＣＩを前記ＭＣＣＨ伝送内容変更の通知シグナリングとするスクランブリング検出手段とをさらに含むことを特徴とする請求項２４に記載の端末。
【請求項２６】
前記スクランブリング検出手段が、
前記ＤＣＩのスクランブリング処理に使用したＲＮＴＩは前記第１ＲＮＴＩと第２ＲＮＴＩとに対して数学演算を実行して得られたＲＮＴＩである第３ＲＮＴＩであるか否かを判断し、第３ＲＮＴＩである場合、前記ＤＣＩのスクランブリング処理に第１ＲＮＴＩと第２ＲＮＴＩとを使用したと確認する第１検出手段と、
前記第１ＲＮＴＩと第２ＲＮＴＩとをそれぞれ使用して前記ＤＣＩを１回スクランブリングしたか否かを判断し、そうである場合、前記ＤＣＩのスクランブリング処理に第１ＲＮＴＩと第２ＲＮＴＩとを使用したと確認する第２検出手段とを有することを特徴とする請求項２５に記載の端末。
【請求項２７】
前記ＭＣＣＨの変更された全部の伝送内容が前記通知に含まれているか否かを判断する判断手段をさらに有し、
前記判断手段が、さらに、前記ＭＣＣＨの変更された全部の伝送内容が前記判断手段に含まれていないと判断する場合、前記ＭＣＣＨを再検出することを特徴とする請求項２４に記載の端末。
【発明の詳細な説明】
【技術分野】
【０００１】
本発明は無線通信領域に関し、特にチャネル内容の変更通知、チャネル再検査の方法、システム及び装置に関する。
【背景技術】
【０００２】
マルチメディア・ブロードキャスト・マルチキャスト・サービス（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ，ＭＢＭＳ）は無線セル内のユーザーにマルチメディアブロードキャストとマルチキャストサービスを提供することに用いられる。
長期進化（Ｌｏｎｇ  Ｔｅｒｍ  Ｅｖｏｌｕｔｉｏｎ，ＬＴＥ）システムにおいて、ＭＢＭＳ専用の周波数レイヤおよび非ＭＢＭＳサービスの共有周波数レイヤは両方ともＭＢＭＳを提供できる。
ＭＢＭＳ専用周波数レイヤはＭＢＭＳ伝送に専用される周波数レイヤを指す。
ＭＢＭＳ専用周波数レイヤに配置されたセルはＭＢＭＳ専用セルと呼ばれ、非ＭＢＭＳ伝送専用の周波数レイヤに配置されたセルはＭＢＭＳ／ユニキャスト混合セルと呼ばれる。
ＭＢＭＳ／ユニキャスト混合セルにおけるユニキャストサービスおよびＭＢＭＳサービスは協同に伝送され、一部のタイミングはＭＢＭＳサービスの伝送に用いられ、他のタイミングはユニキャストサービスの伝送に用いられる。
【０００３】
ＭＢＭＳ伝送は単一セルＭＢＭＳおよびマルチセルＭＢＭＳの２種類の伝送形態に分けられる。
単一セルＭＢＭＳの伝送は一対多（ｐｏｉｎｔ−ｔｏ−ｍｕｌｔｉｐｏｉｎｔ、ＰＴＭ）方式を採用し、一つの特定なセル範囲内でのみＭＢＭＳを伝送し、マルチセルからのＭＢＭＳ伝送の組み合わせには対応しない。
マルチセルＭＢＭＳの伝送はマルチキャスト単一周波数ネットワーク（ＭＢＳＦＮ）方式、即ち、複数のセル内で同一信号を同時送信する伝送方式に対応する必要がある。
【０００４】
ＭＢＭＳに関連するロジカル・チャネルはマルチキャストサービスチャネル（Ｍｕｌｔｉｃａｓｔ  Ｔｒａｆｆｉｃ  Ｃｈａｎｎｅｌ、ＭＴＣＨ）およびＭＢＭＳの一対多制御チャネル（Ｍｕｌｔｉ―ｐｏｉｎｔ  Ｃｏｎｔｒｏｌ  Ｃｈａｎｎｅｌ，ＭＣＣＨ）を含む。
【０００５】
そのうち、ＭＴＣＨは、ネットワークから端末（ＵＥ）へのＭＢＭＳサービスデータ伝送用の一対多下りリンクチャネルであり、ＭＢＭＳサービスの受信できるＵＥのみに使用できる。
ＭＴＣＨの情報は対応するＭＣＣＨにより指示される。
ネットワーク側はブロードキャスト制御チャネル（Ｂｒｏａｄｃａｓｔ  Ｃｏｎｔｒｏｌ  Ｃｈａｎｎｅｌ、ＢＣＣＨ）でＵＥにＭＣＣＨを指示し、又、ＭＣＣＨでＵＥにＭＴＣＨを指示して、ＵＥがＭＴＣＨで伝送されるＭＢＭＳサービスを受信できるようにする。
【０００６】
ＭＣＣＨはネットワークからＵＥへのＭＢＭＳ制御情報の伝送に用いられる一対多下りリンクチャネルであり、１つのＭＣＣＨは１つ又は複数のＭＴＣＨを制御する。
ＭＣＣＨは、ＭＢＭＳサービスを受信するＵＥのみに読み取られ、ＭＢＳＦＮ上の伝送の際にＭＣＨにマッピングされ、一方、非ＭＢＳＦＮ伝送の際に下りリンク補充チャネル（ＤＬ−ＳＣＨ）にマッピングされる。
【０００７】
現在、システムにおける無線ネットワーク一時識別子（Ｒａｄｉｏ  Ｎｅｔｗｏｒｋ  Ｔｅｍｐｏｒａｒｙ  Ｉｄｅｎｔｉｆｉｅｒ、ＲＮＴＩ）はセル専用のＲＮＴＩおよびユーザー専用のＲＮＴＩの二種があり、セル専用のＲＮＴＩはページングＲＮＴＩ（Ｐ−ＲＮＴＩ）、システム情報ＲＮＴＩ（ＳＩ−ＲＮＴＩ）などの例が挙げられ、セル内の全部ユーザーが読み取る必要な共用情報に対応する制御シグナリング（ＤＣＩ）又は共通シグナリングを、スクランブリングして、それらを物理下り制御チャネル（ｐｈｙｓｉｃａｌ  ｄｏｗｎｌｉｎｋ  ｃｏｎｒｏｌ  ｃｈａｎｎｅｌ、ＰＤＣＣＨ）の共通検索領域内で伝送する。
一方、ユーザー専用のＲＮＴＩは、セルＲＮＴＩ（ｃｅｌｌ  ＲＮＴＩ、Ｃ−ＲＮＴＩ）即ち、各ＵＥのＭＡＣ層番号のような例が挙げられ、ユーザー専有のデータ情報に対応する制御シグナリング又は専用シグナリングをスクランブリングして、ＰＤＣＣＨのユーザー専用検索領域内で伝送する。
ユーザーは制御シグナリングを受信する際、スクランブリング処理に使用されたＲＮＴＩを検出することにより、自身宛の制御シグナリングであるか否かを識別できる。
【０００８】
ユーザーはＰＤＣＣＨを受信する際、基地局が下りリンク制御シグナリングの送信に使用されたフォーマットを判断できないため、ＤＣＩフォーマットに対してブラインド検出を行う。
即ち、システムに定義された異なる情報長およびＣＣＥ集団レベルをそれぞれ使用してデコードを行い、又、ＣＲＣチェックにより正しく受信したか否かを確認する。
【発明の開示】
【発明が解決しようとする課題】
【０００９】
本発明を実現する過程で、発明者は従来技術に以下の問題点があることに気づいた。
【００１０】
従来技術において、ＭＴＣＨ関連の制御シグナリングはＭＣＣＨにより周期的に送信されている。
ＭＣＣＨで伝送される制御シグナリングの内容は変化性が小さく、準静的に配置されたものであるため、ＵＥはＭＣＣＨを周期的にモニタリングすると、ＭＣＣＨから同じ制御シグナリング内容を繰り返して受信してしまい、リソースの浪費をもたらした。
【課題を解決するための手段】
【００１１】
本発明は上記の問題点を鑑ってなされたものであり、本発明者らは鋭意研究した結果、ＭＣＣＨ伝送内容変更状態を了解できるチャネル内容の変更通知の方法および基地局を提供し、従来技術においてＵＥがＭＣＣＨ伝送内容変更状況を了解できない問題点を解決する。
【００１２】
本発明に係るチャネル内容の変更通知の方法は、基地局が配置されたマルチメディア・ブロードキャスト・マルチキャスト・サービス（ＭＢＭＳ）の一対多制御チャネル（ＭＣＣＨ）伝送内容に変更があったと確認するステップと、基地局は物理下り制御チャネル（ＰＤＣＣＨ）により、上記ＭＣＣＨ伝送内容の変更通知を端末に送信するステップとを含む内容の変更通知。
【００１３】
また、本発明に係る基地局は、配置されたマルチメディア・ブロードキャスト・マルチキャスト・サービス（ＭＢＭＳ）の一対多制御チャネル（ＭＣＣＨ）伝送内容に変更があったかどうかを確認する変更確認手段と、上記変更確認手段によりＭＣＣＨ伝送内容の変更が確認された後、物理下り制御チャネル（ＰＤＣＣＨ）により上記ＭＣＣＨ伝送内容の変更通知を端末に送信する変更通知手段とを含む。
【００１４】
また、本発明の実施形態は、チャネルをモニタリングにかかるリソースを節約できるチャネル再検出方法、チャネル再検出システムおよび端末を提供する。
【００１５】
本発明に係る上記チャネル再検査方法は、端末が物理下り制御チャネル（ＰＤＣＣＨ）において基地局から送信されたマルチメディア・ブロードキャスト・マルチキャスト・サービス（ＭＢＭＳ）一対多制御チャネル（ＭＣＣＨ）伝送内容の変更通知を受信するステップと、端末は上記通知により上記ＭＣＣＨに対して再検査するステップとを含む。
【００１６】
本発明に係る上記チャネル再検査システムは、配置されたマルチメディア・ブロードキャスト・マルチキャスト・サービス（ＭＢＭＳ）の一対多制御チャネル（ＭＣＣＨ）伝送内容の変更有無を確認した後、物理下り制御チャネル（ＰＤＣＣＨ）により上記ＭＣＣＨ伝送内容の変更通知を端末に送信する基地局と、上記ＰＤＣＣＨにおいて上記通知を受信して、上記通知により上記ＭＣＣＨを再検出する端末とを含む。
【００１７】
本発明に係る上記端末は、物理下り制御チャネル（ＰＤＣＣＨ）において基地局から送信されたマルチメディア・ブロードキャスト・マルチキャスト・サービス（ＭＢＭＳ）の一対多制御チャネル（ＭＣＣＨ）伝送内容の変更通知を受信する変更通知受信手段と、上記通知により上記ＭＣＣＨを再検出するチャネル再検出手段とを含む。
【発明の効果】
【００１８】
本発明において、基地局は配置されたＭＣＣＨ伝送内容に変更があったと判断してから、ＰＤＣＣＨによりＭＣＣＨ伝送内容の変更通知を端末に送信し、端末はＰＤＣＣＨにおいて当該通知を受信した後、当該通知により上記ＭＣＣＨを再検出する。
基地局がＭＣＣＨ伝送内容変更を端末に通知することにより、端末はＭＣＣＨ伝送内容に変更があったかどうかが分かるようになり、変更があった際のみ当該ＭＣＣＨを再検出する。
当該ＭＣＣＨを周期的に再検出する必要を無くし、ＵＥがＭＣＣＨに対する不要なモニタリングを行わず、チャネルモニタリングするための端末リソースを節約できる。
【図面の簡単な説明】
【００１９】
【図１】本発明の実施形態に係る方法のフローを示す図である。
【図２Ａ】本発明の実施形態におけるＤＣＩフォーマットの一例を示す図である。
【図２Ｂ】本発明の実施形態におけるＤＣＩフォーマットのもう一例を示す図である。
【図３】本発明の実施形態に係るシステムの構造イメージを示す図である。
【図４】本発明の実施形態に係る基地局の構造イメージを示す図である。
【図５】本発明の実施形態に係る端末の構造イメージを示す図である。
【発明を実施するための形態】
【００２０】
従来の技術では、ＵＥがＭＣＣＨを周期的にモニタリングし、リソースの浪費をもたらしていた。
それを解決するため、本発明の実施形態はチャネル内容の変更通知およびチャネル再検出の方法を提供した。
本方法において、基地局は配置されたＭＣＣＨ伝送内容に変更があったと判断した後、端末に対してＭＣＣＨ伝送内容の変更通知を送信し、端末は当該通知により当該ＭＣＣＨを再検出する。
【００２１】
図１に示したように、本発明の実施形態に係るチャネル内容の変更通知およびチャネル再検出の方法は、基地局３０が配置されたＭＣＣＨ伝送内容に変更があったと判断するステップ１０と、基地局３０が物理下り制御チャネル（ＰＤＣＣＨ）によりＭＣＣＨ伝送内容の変更通知を端末３１に送信するステップ１１と、端末３１がＰＤＣＣＨにおいて基地局３０から送信されるＭＣＣＨ伝送内容の変更通知を受信するステップ１２と、端末３１が受信された通知により上記ＭＣＣＨを再検出するステップ１３とを含む。
【００２２】
ステップ１１において基地局３０は以下の２種の実施方式で端末３１に変更通知を送信できる。
【００２３】
［実施方式１］
先ず、基地局３０はＭＣＣＨ伝送内容変更を通知するための第１制御シグナリング（ＤＣＩ）を生成する。
そして、第１ＤＣＩに対応する予め定義された第１無線ネットワーク一時識別子（ＲＮＴＩ）を使用して、第１ＤＣＩをスクランブリングする。
最後、ＰＤＣＣＨによりスクランブリングされた第１ＤＣＩを端末３１に送信する。
【００２４】
［実施方式２］
先ず、基地局３０はＬＴＥシステムにおけるセル専用の第２ＲＮＴＩに対応する第２ＤＣＩを生成する。
そして、予め定義された第１ＲＮＴＩと第２ＲＮＴＩとを使用して第２ＤＣＩをスクランブリングする。
最後、上記ＰＤＣＣＨによりスクランブリングされた第２ＤＣＩを端末３１に送信する。
【００２５】
第２ＲＮＴＩはＬＴＥシステムに既存のセル専用のＲＮＴＩであり、当該ＲＮＴＩはＰ−ＲＮＴＩ、ＳＩ−ＲＮＴＩ、ランダムアクセスＲＮＴＩ（ＲＡ−ＲＮＴＩ）などを含む。
【００２６】
上述基地局３０は以下の２種の実施方式で第１ＤＣＩを生成できる。
【００２７】
［実施方式１］
基地局３０は伝送内容が変更されたＭＣＣＨの数量、又は伝送内容が変更されたＭＣＣＨの数量およびＭＣＣＨの変更された伝送内容に基づき、予め設定されたビット長を選定し、当該ビット長を有するＤＣＩを生成して第１ＤＣＩにする。
【００２８】
［実施方式２］
基地局３０は伝送内容が変更されたＭＣＣＨの数量、又は伝送内容が変更されたＭＣＣＨの数量およびＭＣＣＨの変更された伝送内容に基づき、既にＬＴＥシステムにおいて使用されているＤＣＩフォーマットを選定し、当該ＤＣＩフォーマットのビット長と同じビット長を有するＤＣＩを生成して第１ＤＣＩにする。
既にＬＴＥシステムで使用されているＤＣＩフォーマットは、ＰＤＣＣＨの共通検索領域で伝送するためのフォーマット１Ａ／１Ｃ／３／３Ａなどを含む。
【００２９】
実施方式１を採用する場合、多様な第１ＤＣＩ生成方法があり、下記の例を挙げて説明する。
【００３０】
［例その１］伝送内容が変更されたＭＣＣＨが一つのＭＣＣＨである場合、基地局３０は１ビット長のＤＣＩを生成して第１ＤＣＩにする。
【００３１】
［例その２］伝送内容が変更されたＭＣＣＨが一つのＭＣＣＨであり、且つ第１ＤＣＩで当該ＭＣＣＨの変更された伝送内容を伝送する必要がある場合、当該変更された伝送内容を表示するために必要とするビット長以上のビット長を有するＤＣＩを生成して第１ＤＣＩにし、ＭＣＣＨの変更された伝送内容を第１ＤＣＩに含ませる。
又、ＭＣＣＨの変更された全部の伝送内容が当該第１ＤＣＩに含まれているか否かを表示するための情報も当該第１ＤＣＩに含ませても良い。
【００３２】
［例その３］伝送内容が変更されたＭＣＣＨが複数のＭＣＣＨである場合、基地局３０はＮビット長を有するＤＣＩを生成して第１ＤＣＩにし、複数のＭＣＣＨにおける各ＭＣＣＨに対して、第１ＤＣＩ内の当該ＭＣＣＨに対応するビットの値を当該ＭＣＣＨ伝送内容の変更を表示するためのデータに設定し、そのうち、Ｎは基地局３０がカバーするセルに収容されるＭＣＣＨの個数である。
【００３３】
［例その４］伝送内容が変更されたＭＣＣＨが複数のＭＣＣＨであり、且つ第１ＤＣＩで複数のＭＣＣＨの変更された伝送内容を伝送する必要がある場合、基地局３０はＮ個のデータセグメントを含むＤＣＩを生成して第１ＤＣＩにし、複数のＭＣＣＨにおける各ＭＣＣＨに対して、第１ＤＣＩ内の当該ＭＣＣＨに対応するデータセグメントの特定ビットの値を、当該ＭＣＣＨ伝送内容変更を表示するためのデータに設定し、又、当該データセグメント内の他のビットで当該ＭＣＣＨの変更された伝送内容を含ませ、更に又、当該ＭＣＣＨの変更された全部の伝送内容が当該データセグメントに含まれているか否かを表示するための情報も当該データセグメントに含まれても良い。
【００３４】
実施方式２を採用する場合も、多様な第１ＤＣＩ生成方法を使用できる。
以下は例を挙げて説明する。
【００３５】
［例その１］伝送内容が変更されたＭＣＣＨが一つのＭＣＣＨである場合、基地局３０はＬＴＥシステムに既存の最小ビット長のＤＣＩフォーマットを選定し、当該ＤＣＩフォーマットと同じビット長を有するＤＣＩを生成して第１ＤＣＩにする。
【００３６】
［例その２］伝送内容が変更されたＭＣＣＨが一つであり、且つ第１ＤＣＩで当該ＭＣＣＨの変更された伝送内容を伝送する必要がある場合、ＬＴＥシステムに既存の、当該変更された伝送内容を表示するために必要とするビット長以上のビット長を有するＤＣＩフォーマットを選定し、当該ＤＣＩフォーマットと同じビット長を有するＤＣＩを生成して第１ＤＣＩにし、ＭＣＣＨの変更された伝送内容を第１ＤＣＩに含ませ、更に、ＭＣＣＨの変更された全部の伝送内容が第１ＤＣＩに含まれているか否かを表示するための情報も第１ＤＣＩに含ませても良い。
【００３７】
［例その３］伝送内容が変更されたＭＣＣＨが複数のＭＣＣＨである場合、基地局３０はＬＴＥシステムに既存のＮビット以上のビット長を有するＤＣＩフォーマットを選定し、当該ＤＣＩフォーマットと同じビット長を有するＤＣＩを生成して第１ＤＣＩにし、複数のＭＣＣＨにおける各ＭＣＣＨに対して、第１ＤＣＩ内の当該ＭＣＣＨに対応するビットの値を、当該ＭＣＣＨ伝送内容変更を表示するためのデータに設定し、そのうち、Ｎは基地局３０がカバーするセルに収容されるＭＣＣＨの個数である。
【００３８】
［例その４］伝送内容が変更されたＭＣＣＨが複数のＭＣＣＨであり、且つ第１ＤＣＩで複数のＭＣＣＨの変更された伝送内容を伝送する必要がある場合、基地局３０はＬＴＥシステムに既存の、Ｎ個のデータセグメントビット長以上のビット長を有するＤＣＩフォーマットを選定し、当該ＤＣＩフォーマットと同じビット長を有するＤＣＩを生成して第１ＤＣＩにし、複数のＭＣＣＨにおける各ＭＣＣＨに対して、第１ＤＣＩ内の当該ＭＣＣＨに対応するデータセグメントの特定ビットの値を、当該ＭＣＣＨ伝送内容変更を表示するためのデータに設定し、又、当該データセグメントの他のビットに当該ＭＣＣＨの変更された伝送内容を含ませる。
更に又、当該ＭＣＣＨの変更された全部の伝送内容が当該データセグメントに含まれているか否かを表示するための情報も当該データセグメントに含ませても良い。
【００３９】
上述基地局３０が第１ＲＮＴＩと第２ＲＮＴＩとを使用して第２ＤＣＩをスクランブリングするには、複数の実施方式が使用できる。
例えば、第１ＲＮＴＩおよび第２ＲＮＴＩに対して数学演算を実行して、得られた第３ＲＮＴＩで第２ＤＣＩをスクランブリングする。
又は、第１ＲＮＴＩおよび第２ＲＮＴＩをそれぞれ使用して第２ＤＣＩを１回スクランブリングする。
本発明において第１ＲＮＴＩおよび第２ＲＮＴＩに対する数学演算は排他的論理和演算、加算演算、引き算演算などであっても良い。
【００４０】
基地局３０は第３ＲＮＴＩを保留する必要がある。
即ち、基地局３０は第１ＲＮＴＩおよび第２ＲＮＴＩを割り当てて、第３ＲＮＴＩの具体的な値を獲得することにより、第３ＲＮＴＩを自身に保留し、当該第３ＲＮＴＩを端末３１に割り当てない。
【００４１】
本発明において、基地局３０の通知送信時間はＭＣＣＨ伝送内容に変更があったと判断した後の任意の時間であっても良い。
例えば、予め設定されたＭＣＣＨ識別子および通知送信時間の第１対応関係により伝送内容が変更されたＭＣＣＨの識別子に対応する通知送信時間を確認し、当該通知送信時間に第１ＤＣＩ又は第２ＤＣＩを送信すれば良い。
無論、当該方式は１つの第１ＤＣＩで一つのＭＣＣＨ伝送内容変更を通知することのみに利用できる。
【００４２】
本発明における第１ＲＮＴＩは１個のＲＮＴＩのみを含んでも良い。
即ち、基地局３０は統一的に当該ＲＮＴＩを使用して第１ＤＣＩをスクランブリングする。
【００４３】
また、第１ＲＮＴＩは、複数のＲＮＴＩを含んでも良い、即ち、基地局３０がカバーするセルに収容されるＭＣＣＨ毎に１つの第１ＲＮＴＩに対応する。
具体的に、ＭＣＣＨ識別子およびＲＮＴＩの第２対応関係を予め設定し、基地局３０はある特定なＭＣＣＨ伝送内容変更を通知するための第１ＤＣＩを送信する際、先ず第２対応関係により当該ＭＣＣＨの識別子に対応するＲＮＴＩを確認し、当該ＲＮＴＩで当該第１ＤＣＩをスクランブリングする。
無論、当該方式は１つの第１ＤＣＩで一つのＭＣＣＨ伝送内容変更を通知することのみに利用できる。
【００４４】
ステップ１２において、端末３１はＰＤＣＣＨにおいて基地局３０から送信されるＭＣＣＨ伝送内容の変更通知を受信する方法も以下の２種がある。
【００４５】
［受信方法１］
先ず、端末３１はＰＤＣＣＨにおいてＤＣＩを受信する。
そして、受信したＤＣＩのスクランブリング処理に使用したＲＮＴＩは第１ＲＮＴＩであるか否かを検出し、第１ＲＮＴＩである場合、受信したＤＣＩはＭＣＣＨ伝送内容変更を通知するための第１ＤＣＩであると確認する。
【００４６】
［受信方法２］
先ず、端末３１はＰＤＣＣＨにおいて制御シグナリングＤＣＩを受信する。
そして、当該ＤＣＩのスクランブリング処理に第１ＲＮＴＩおよびＬＴＥシステムにおけるセル専用の第２ＲＮＴＩを使用したか否かを検出し、第１ＲＮＴＩおよびＬＴＥシステムにおけるセル専用の第２ＲＮＴＩを使用した場合、受信したＤＣＩは第２ＲＮＴＩに対応する第２ＤＣＩであると確認し、当該第２ＤＣＩをＭＣＣＨ伝送内容変更を通知するためのシグナリングとする。
説明すべきことは、第２ＤＣＩは、従来の役割が依然として保持されている以上、本発明でＭＣＣＨ伝送内容変更を通知することにも更に用いられる。
【００４７】
上述端末３１が受信したＤＣＩのスクランブリング処理に、第１ＲＮＴＩおよび第２ＲＮＴＩを使用したか否かを検出する実施方法は以下の２種がある。
【００４８】
［検出方法１］
受信したＤＣＩのスクランブリング処理に使用したＲＮＴＩは第３ＲＮＴＩであるか否かを判断し、当該第３ＲＮＴＩは第１ＲＮＴＩおよび第２ＲＮＴＩに対して数学演算を実行して得られたＲＮＴＩであるため、第３ＲＮＴＩが検出されたことにより、ＤＣＩのスクランブリング処理に第１ＲＮＴＩおよび第２ＲＮＴＩを使用したと確認できる。
【００４９】
［検出方法２］
それぞれ第１ＲＮＴＩおよび第２ＲＮＴＩを使用して受信したＤＣＩを１回スクランブリングしたか否かを判断し、そうである場合、ＤＣＩのスクランブリング処理に第１ＲＮＴＩおよび第２ＲＮＴＩを使用したと確認する。
【００５０】
基地局３０が第１ＤＣＩ又は第２ＤＣＩを生成する異なる方式に応じて、端末３１は複数種の方式で、受信した第１ＤＣＩ又は第２ＤＣＩによりＭＣＣＨを再検出できる。
以下、例を挙げて説明する。
【００５１】
［例その１］予め設定された上述第１対応関係に基づき、第１ＤＣＩ又は第２ＤＣＩを受信する時間に対応するＭＣＣＨ識別子を確認し、当該ＭＣＣＨ識別子に対応するＭＣＣＨを再検出する。
【００５２】
［例その２］予め設定された上述第２対応関係に基づき、受信した第１ＤＣＩ又は第２ＤＣＩのスクランブリング処理に使用したＲＮＴＩに対応するＭＣＣＨ識別子を確認して、当該ＭＣＣＨ識別子に対応するＭＣＣＨを再検出する。
【００５３】
［例その３］予め設定されたビット位置とＭＣＣＨ識別子との第３対応関係に基づき、第１ＤＣＩ内の値が設定値であるビット位置に対応するＭＣＣＨ識別子を確認し、当該ＭＣＣＨ識別子に対応するＭＣＣＨを再検出する。
【００５４】
［例その４］受信した第１ＤＣＩに含まれる各データセグメントに対して、データセグメント内の特定ビットの値が設定値である場合、予め設定されたデータセグメント位置とＭＣＣＨ識別子との第４対応関係に基づき、当該データセグメント位置に対応するＭＣＣＨ識別子を確認し、当該ＭＣＣＨ識別子に対応するＭＣＣＨを再検出する。
【００５５】
好ましくは、上記端末３１は通知によりＭＣＣＨを再検出する前、当該通知にＭＣＣＨの変更された全部の伝送内容が含まれているか否かを判断し、当該通知にＭＣＣＨの変更された全部の伝送内容が含まれていないと判断した場合、当該ＭＣＣＨを再検出する。
ここで、端末３１は第１ＤＣＩ内の特定ビットの値により、ＭＣＣＨの変更された全部の伝送内容が通知に含まれているか否かを判断できる。
例えば、第１ＤＣＩは一つのＭＣＣＨ伝送内容変更を通知するために用いられる場合、第１ＤＣＩ内の第２ビットの値が１であるか否かを判断し、１である場合、通知には当該ＭＣＣＨの変更された全部の伝送内容が含まれていると判断し、又、第１ＤＣＩは複数のＭＣＣＨ伝送内容変更を通知するために用いられる場合、第１ＤＣＩ内のあるデータセグメントの第２ビットの値が１であるか否かを判断し、１である場合、通知には当該ＭＣＣＨの変更された全部の伝送内容が含まれていると判断する。
【００５６】
以下、具体的な実施形態で本発明の方法を説明する。
【００５７】
［実施形態１］
本実施形態において、基地局３０は予め設定されたビット長のＤＣＩで、ＭＣＣＨ伝送内容の変更通知を送信し、又、Ｍ−ＲＮＴＩでＤＣＩをスクランブリングしてからＰＤＣＣＨの共通検索領域内で伝送する。
当該技術案におけるＤＣＩの効率性が良く、即ち、ＤＣＩ内の無用ビットが少ない。
【００５８】
予め設定されたビット長が１ビットである場合、基地局３０はある特定なＭＣＣＨ伝送内容が変更されたことのみを通知し、且つ具体的な変更内容が通知に含まれていない場合、端末３１はＰＤＣＣＨにおいてＭ−ＲＮＴＩでスクランブリングされたＤＣＩを検出できれば、予め設定された第１対応関係又は第２対応関係に基づき、ＭＣＣＨ伝送内容が変更されたＭＣＣＨを確認でき、そして変更があったＭＣＣＨを再検出する。
【００５９】
予め設定されたビット長がＮビットである場合、Ｎの具体的な値はシステムにより予め設定され、基地局３０がカバーするセルが収容できるＭＣＣＨの最大数量である。
当該セルはＭ個のＭＣＣＨ（Ｍ≦Ｎ）を収容している場合、Ｍ個のＭＣＣＨに対応するＩＤ番号の順で、ＤＣＩ先頭のＭビットを使用してＭ個のＭＣＣＨ上の伝送内容変更をそれぞれ表示し、即ち、１個のＤＣＩでＭ個のＭＣＣＨ伝送内容変更状況を表示できる。
具体的に、ＤＣＩ先頭のＭビットにおいて、伝送内容が変更されたＭＣＣＨに対応するビットの値を「１」に設定し、他のビットの値を「０」に設定し、そして、残ったＮ−Ｍビットは保留される。
端末３１はＰＤＣＣＨにおいてＭ−ＲＮＴＩでスクランブリングされたＤＣＩを検出した後、ＤＣＩ内の「１」に設定されたビットに対応するＭＣＣＨ伝送内容が変更されたことを了解して、変更されたＭＣＣＨを再検出する。
図２ＡはＤＣＩのフォーマットの例を示す図である。
【００６０】
［実施形態２］
本実施形態において、基地局３０はＬＴＥシステムに既存のＤＣＩフォーマットによりＤＣＩを生成し、当該ＤＣＩでＭＣＣＨ伝送内容の変更通知を送信する。
上記変更通知の送信は、Ｍ−ＲＮＴＩでＤＣＩをスクランブリングしてからＰＤＣＣＨの共通検索領域内で伝送される。
本解決案は端末３１のブラインド検出回数を増加しない。
【００６１】
ＬＴＥ  Ｒｅｌ−８システムにおいて、共通検索領域におけるＤＣＩは１Ａ／１Ｃ／３／３Ａという４種類のフォーマットのみを使用できる。
【００６２】
基地局３０がある特定なＭＣＣＨ伝送内容の変更のみを通知し、且つ具体的な変更内容が通知に含まれていない場合、端末３１はＰＤＣＣＨにおいてＭ−ＲＮＴＩでスクランブリングされたＤＣＩを検出できれば、予め設定された第１対応関係又は第２対応関係により伝送内容が変更されたＭＣＣＨを確認でき、そして、変更されたＭＣＣＨを再検出する。
その場合のＤＣＩ内の各ビットの値は自由に設定でき、簡単に全て「０」又は全て「１」に設定できる。
ＤＣＩの効率性を考慮するため、その場合に１Ａ／１Ｃ／３／３Ａの中から長さの最も短いＤＣＩフォーマットを選定できる。
【００６３】
基地局３０がカバーするセルはＭ個のＭＣＣＨを収容している場合、フォーマット１Ａ／１Ｃ／３／３Ａの中からＭに最も近く且つＭ以上であるビット長を有するＤＣＩフォーマットを選定でき、又、Ｍ個のＭＣＣＨに対応するＩＤ番号の順で、ＤＣＩ内の先頭のＭビットを使用してＭ個のＭＣＣＨの変更状況をそれぞれ表示し、即ち、１つのＤＣＩでＭ個のＭＣＣＨ伝送内容変更状況を表示できる。
具体的に、ＤＣＩの先頭のＭビットにおいて、伝送内容が変更されたＭＣＣＨに対応するビットの値を「１」に、他のビットの値を「０」に設定し、残ったＮ−Ｍビットは保留にされる。
端末３１はＰＤＣＣＨにおいてＭ−ＲＮＴＩでスクランブリングされたＤＣＩを検出した後、ＤＣＩ内の値が「１」であるビットに対応するＭＣＣＨ伝送内容が変更されたことを了解して、変更されたＭＣＣＨを再検出する。
【００６４】
ＭＣＣＨ伝送内容の変更通知に、ある特定番組の追加又は削除のような簡単且つ常用なＭＣＣＨの変更された伝送内容が含まれている場合、当該変更された伝送内容をＤＣＩに含ませることができる。
その場合、端末３１はＤＣＩを受信すると、ＭＣＣＨの変更された具体的な伝送内容を直ちに了解できる。
【００６５】
基地局３０はある特定なＭＣＣＨ伝送内容が変更されたことのみを通知する場合、変更された伝送内容の具体的な長さＰにより、１Ａ／１Ｃ／３／３Ａの中からＰに最も近くて且つＰ以上の長さを有するＤＣＩフォーマットを選定できる。
ＤＣＩ内の初めのビットによりＭＣＣＨの変更された全部の伝送内容が当該ＤＣＩに含まれているか否かを示し、例えば、初めのビットを「１」に設定した場合、ＭＣＣＨの変更された全部の伝送内容が当該ＤＣＩに含まれていることを表示し、初めのビットを「０」に設定した場合、ＭＣＣＨの変更された伝送内容が当該ＤＣＩに含まれず、又はＭＣＣＨの変更された全部の伝送内容が当該ＤＣＩに含まれていないことを表示する。
その場合、端末３１はＰＤＣＣＨにおいてＭ−ＲＮＴＩでスクランブリングされたＤＣＩを検出した後、予め設定された第１対応関係又は第２対応関係により伝送内容が変更されたＭＣＣＨを確認でき、又、当該ＤＣＩの初めのビットが「１」である場合、当該ＭＣＣＨを再検出する。
【００６６】
基地局３０がカバーするセルはＭ個のＭＣＣＨを収容している場合、１Ａ／１Ｃ／３／３Ａの中からＮ個のデータセグメント以上のビット長を有するＤＣＩフォーマットを選定し、当該フォーマットにより生成したＤＣＩのビット配列をＮ個のデータセグメントに分割し、ＭＣＣＨのＩＤ番号の順で各データセグメントを使用して各ＭＣＣＨ伝送内容変更状況を指示する。
そのうち、各データセグメントの初めのビットは対応するＭＣＣＨは変更か否かの有無を示す（例えば、初めのビットが「１」である場合、変更有を表示し、「０」である場合、変更がないと表示する）。
変更があった場合、当該データセグメント内の他のビットで具体的な変更内容（具体的な方法は上記と同じ）を示し、変更無の場合、当該データセグメント内の他のビットを保留にする。
端末３１はＰＤＣＣＨにおいてＭ−ＲＮＴＩでスクランブリングされたＤＣＩを検出した後、当該ＤＣＩに含まれた各データセグメントの値を判断して、初めのビットの値が「１」であるデータセグメントに対応するＭＣＣＨを再検出する。
図２ＢはＤＣＩフォーマットの一例を示す図である。
【００６７】
［実施形態３］
本実施形態において、基地局３０は既存のＰ−ＲＮＴＩに対応するＤＣＩを使用して、ＭＣＣＨ伝送内容の変更通知を送信し、又、上記変更通知をＭ−ＲＮＴＩおよびＰ−ＲＮＴＩを使用してＤＣＩをスクランブリングしてからＰＤＣＣＨの共通検索領域内で伝送する。
【００６８】
基地局３０のカバーセルがＭ個のＭＣＣＨを収容している場合、基地局３０はＰ−ＲＮＴＩに対応するＤＣＩをＭ回送信する必要があり、各ＤＣＩの長さは１ビットである。
ＤＣＩを送信する度に、Ｍ−ＲＮＴＩとＰ−ＲＮＴＩとに対して排他的論理和演算を実行して、得られたＸ−ＲＮＴＩでＤＣＩをスクランブリングする。
【００６９】
端末３１は、ＰＤＣＣＨにおいてＸ−ＲＮＴＩでスクランブリングされたＤＣＩを検出すると、予め設定された第１対応関係又は第２対応関係により伝送内容が変更されたＭＣＣＨを確認できるようになって、変更されたＭＣＣＨを再検出する。
【００７０】
また、図３は本発明の実施形態に係るチャネル再検出システムを示している。
当該システムは、配置されたＭＣＣＨ伝送内容に変更があったと判断した後、ＰＤＣＣＨにより上記ＭＣＣＨ伝送内容の変更通知を端末３１に送信する基地局３０と、上記ＰＤＣＣＨにおいて上記通知を受信し、上記通知により上記ＭＣＣＨを再検出する端末３１とを含む。
【００７１】
上記基地局３０は上記ＭＣＣＨ伝送内容変更を通知するための第１ＤＣＩを生成し、上記第１ＤＣＩに対応する予め定義された第１ＲＮＴＩで上記第１ＤＣＩをスクランブリングし、上記ＰＤＣＣＨによりスクランブリングされた第１ＤＣＩを端末３１に送信する。
【００７２】
それに対応して、上記端末３１は、上記ＰＤＣＣＨにおいてＤＣＩを受信した後、上記ＤＣＩのスクランブリング処理に使用したＲＮＴＩが第１ＲＮＴＩであるか否かを検出し、第１ＲＮＴＩであれば、受信されたＤＣＩが上記第１ＤＣＩであると確認する。
【００７３】
上記基地局３０は、ＬＴＥシステムにおけるセル専用の第２ＲＮＴＩに対応する第２ＤＣＩを生成し、予め定義された第１ＲＮＴＩおよび上記第２ＲＮＴＩを使用して上記第２ＤＣＩをスクランブリングし、上記ＰＤＣＣＨによりスクランブリングされた第２ＤＣＩを端末３１に送信する。
【００７４】
それに対応して、上記端末３１は、ＰＤＣＣＨにおいてＤＣＩを受信し、上記ＤＣＩのスクランブリング処理に上記第１ＲＮＴＩおよび第２ＲＮＴＩを使用したか否かを検出し、使用すれば、上記ＤＣＩは上記第２ＲＮＴＩに対応する第２ＤＣＩであると確認し、当該第２ＤＣＩを上記ＭＣＣＨ伝送内容変更の通知シグナリングとする。
【００７５】
上記基地局３０は、上記第１ＲＮＴＩおよび第２ＲＮＴＩに対して数学演算を実行して、得られた第３ＲＮＴＩで上記第２ＤＣＩをスクランブリングし、又は、上記第１ＲＮＴＩおよび第２ＲＮＴＩをそれぞれ使用して上記第２ＤＣＩを１回スクランブリングする。
【００７６】
それに対応して、上記端末３１は、受信したＤＣＩのスクランブリング処理に使用したＲＮＴＩが上記第３ＲＮＴＩであるか否か、又はそれぞれ上記第１ＲＮＴＩおよび第２ＲＮＴＩを使用して上記ＤＣＩを１回スクランブリングしたか否かを判断し、そうであれば、上記ＤＣＩのスクランブリング処理に第１ＲＮＴＩおよび第２ＲＮＴＩを使用したと確認する。
【００７７】
上記基地局３０は更に、上記ＭＣＣＨの変更された伝送内容を上記通知に含ませる。
それに対応して、上記端末３１は更に、上記ＭＣＣＨの変更された全部の伝送内容が上記通知に含まれているか否かを判断し、含まれている場合、上記ＭＣＣＨにを再検出する。
【００７８】
また、図４に示したように、本発明の実施形態は、チャネル再検出システムに適用できる基地局３０を提供し、当該基地局３０は配置されたＭＣＣＨ伝送内容に変更があったかどうかを確認する変更確認手段４０と、上記変更確認手段４０によりＭＣＣＨ伝送内容に変更有を確認した後、ＰＤＣＣＨにより上記ＭＣＣＨ伝送内容の変更通知を端末３１に送信する変更通知手段４１とを含む。
【００７９】
一つの実施形態において、上記変更通知手段４１は更に、上記ＭＣＣＨ伝送内容変更を通知するための第１制御シグナリングＤＣＩを生成する第１シグナリング生成手段４１０と、上記第１ＤＣＩに対応する予め定義された第１ＲＮＴＩで上記第１ＤＣＩをスクランブリングする第１シグナリングスクランブリング手段４１１と、上記ＰＤＣＣＨにより上記第１シグナリングスクランブリング手段４１１でスクランブリングされた第１ＤＣＩを端末３１に送信する第１シグナリング送信手段４１２とを含む。
【００８０】
一つの実施形態において、上記変更通知手段４１は更に、ＬＴＥシステムにおけるセル専用の第２ＲＮＴＩに対応する第２ＤＣＩを生成する第２シグナリング生成手段４１３と、予め定義された第１ＲＮＴＩおよび上記第２ＲＮＴＩを使用して上記第２ＤＣＩをスクランブリングする第２シグナリングスクランブリング手段４１４と、上記ＰＤＣＣＨにより、上記第２シグナリングスクランブリング手段４１４でスクランブリングされた第２ＤＣＩを端末３１に送信する第２シグナリング送信手段４１５とを含む。
【００８１】
上記第２シグナリングスクランブリング手段４１４は更に、上記第１ＲＮＴＩおよび第２ＲＮＴＩに対して数学演算を実行して、得られた第３ＲＮＴＩで上記第２ＤＣＩをスクランブリングする数学スクランブリング手段と、上記第１ＲＮＴＩおよび第２ＲＮＴＩをそれぞれ使用して上記第２ＤＣＩを１回スクランブリングするシリアルスクランブリング手段とを含む。
【００８２】
上記第１シグナリング生成手段４１０は更に、上記ＭＣＣＨの数量、又は上記ＭＣＣＨの数量と上記ＭＣＣＨの変更された伝送内容とに基づき、予め設定されたビット長の中から一種のビット長を選定し、当該ビット長のＤＣＩを生成して第１ＤＣＩにする設定生成手段と、上記ＭＣＣＨの数量、又は上記ＭＣＣＨの数量と上記ＭＣＣＨの変更された伝送内容とに基づき、ＬＴＥシステムに既存のＤＣＩフォーマットの中から一種のＤＣＩフォーマットを選定し、当該ＤＣＩビット長と同じビット長を有するＤＣＩを生成して第１ＤＣＩにする選定生成手段とを少なくとも一つを含む。
【００８３】
上記設定生成手段は、上記ＭＣＣＨが一つのＭＣＣＨである場合、１ビット長のＤＣＩを生成して第１ＤＣＩにする第１手段と、上記ＭＣＣＨが一つのＭＣＣＨであり、且つ上記第１ＤＣＩで上記一つのＭＣＣＨの変更された伝送内容を伝送する場合、当該変更された伝送内容を表示するために必要とするビット長以上のビット長を有するＤＣＩを生成して第１ＤＣＩにする第２手段と、上記ＭＣＣＨが複数のＭＣＣＨである場合、Ｎビット長を有するＤＣＩを生成して第１ＤＣＩにし、上記複数のＭＣＣＨにおける各ＭＣＣＨに対して、第１ＤＣＩ内の当該ＭＣＣＨに対応するビットの値を当該ＭＣＣＨ伝送内容変更を表示するためのデータに設定し、上記Ｎが上記基地局３０がカバーするセルに収容されるＭＣＣＨの個数である第３手段と、上記ＭＣＣＨが複数のＭＣＣＨであり、且つ上記第１ＤＣＩで上記複数のＭＣＣＨの変更された伝送内容を伝送する場合、Ｎ個のデータセグメントを含むＤＣＩを生成して第１ＤＣＩにし、上記複数のＭＣＣＨにおける各ＭＣＣＨに対して、第１ＤＣＩ内の当該ＭＣＣＨに対応するデータセグメントの特定ビットの値を、当該ＭＣＣＨ伝送内容変更を表示するためのデータに設定し、又、当該データセグメント内の他のビットで当該ＭＣＣＨの変更された伝送内容を示す第４手段とのうちの一つ又は任意の組み合わせを含む。
【００８４】
上記設定生成手段は、上記ＭＣＣＨが一つのＭＣＣＨである場合、ＬＴＥシステムに既存の最小ビット長のＤＣＩフォーマットを選定し、当該ＤＣＩフォーマットと同じビット長を有するＤＣＩを生成して第１ＤＣＩにする第５手段と、上記ＭＣＣＨが一つのＭＣＣＨであり、且つ上記第１ＤＣＩで上記一つのＭＣＣＨの変更された伝送内容を伝送する場合、ＬＴＥシステムに既存の、当該変更された伝送内容を表示するために必要とするビット長以上のビット長を有するＤＣＩフォーマットを選定し、当該ＤＣＩフォーマットと同じビット長を有するＤＣＩを生成して第１ＤＣＩにし、上記一つのＭＣＣＨの変更された伝送内容を第１ＤＣＩに含ませる第６手段と、上記ＭＣＣＨが複数のＭＣＣＨである場合、ＬＴＥシステムに既存のＮビット以上のビット長を有するＤＣＩフォーマットを選定し、当該ＤＣＩフォーマットと同じビット長を有するＤＣＩを生成して第１ＤＣＩにし、上記複数のＭＣＣＨにおける各ＭＣＣＨに対して、第１ＤＣＩ内の当該ＭＣＣＨに対応するビットの値を当該ＭＣＣＨ伝送内容変更を表示するためのデータに設定し、上記Ｎは上記基地局３０がカバーするセルに収容されるＭＣＣＨの個数である第７手段と、上記ＭＣＣＨが複数のＭＣＣＨであり、且つ上記第１ＤＣＩで上記複数のＭＣＣＨの変更された伝送内容を伝送する場合、ＬＴＥシステムに既存の、Ｎ個のデータセグメントビット長以上のビット長を有するＤＣＩフォーマットを選定し、当該ＤＣＩフォーマットと同じビット長を有するＤＣＩを生成して第１ＤＣＩにし、上記複数のＭＣＣＨにおける各ＭＣＣＨに対して、第１ＤＣＩ内の当該ＭＣＣＨに対応するデータセグメントの特定ビットの値を、当該ＭＣＣＨ伝送内容変更を表示するためのデータに設定し、又、当該データセグメント内の他のビットで当該ＭＣＣＨの変更された伝送内容を指示する第８手段とのうちの一つ又は任意の組み合わせを含む。
【００８５】
図５に示したように、本発明の実施形態又、チャネル再検出システムに適用できる端末３１を提供し、当該端末３１は、ＰＤＣＣＨにおいて基地局３０から送信されたＭＣＣＨ伝送内容の変更通知を受信する変更通知受信手段５０と、上記通知により上記ＭＣＣＨを再検出するチャネル再検出手段５１とを含む。
【００８６】
上記変更通知受信手段５０は更に、上記ＰＤＣＣＨにおいてＤＣＩを受信するシグナリング受信手段５０１と、上記ＤＣＩのスクランブリング処理に使用したＲＮＴＩが第１ＲＮＴＩであるか否かを検出し、第１ＲＮＴＩである場合、上記ＤＣＩが上記ＭＣＣＨ伝送内容変更を通知するための第１ＤＣＩであり、上記第１ＲＮＴＩが上記第１ＤＣＩに対応する予め定義されたＲＮＴＩであると確認し、又は、上記ＤＣＩのスクランブリング処理に上記第１ＲＮＴＩおよびＬＴＥシステムにおけるセル専用の第２ＲＮＴＩを使用したか否かを検出し、使用した場合、上記ＤＣＩが上記第２ＲＮＴＩに対応する第２ＤＣＩであると確認し、当該第２ＤＣＩを上記ＭＣＣＨ伝送内容変更の通知シグナリングとするスクランブリング検出手段５０２とを含む。
【００８７】
上記スクランブリング検出手段５０２は、上記ＤＣＩのスクランブリング処理に使用したＲＮＴＩは第３ＲＮＴＩであるか否かを判断し、当該第３ＲＮＴＩが上記第１ＲＮＴＩおよび第２ＲＮＴＩに対して数学演算を実行して得られたＲＮＴＩであり、第３ＲＮＴＩである場合、上記ＤＣＩのスクランブリング処理に第１ＲＮＴＩおよび第２ＲＮＴＩを使用したと確認する第１検出手段と／又は上記第１ＲＮＴＩおよび第２ＲＮＴＩをそれぞれ使用して上記ＤＣＩを１回スクランブリングしたか否かを判断し、スクランブリングしたと判定する場合、上記ＤＣＩのスクランブリング処理に第１ＲＮＴＩおよび第２ＲＮＴＩを使用したと確認する第２検出手段とを含む。
【００８８】
上記チャネル再検査手段５１は、予め設定された通知送信時間とＭＣＣＨ識別子との第１対応関係に基づき、上記第１ＤＣＩ又は第２ＤＣＩを受信する時間に対応するＭＣＣＨ識別子を確認し、当該ＭＣＣＨ識別子に対応するＭＣＣＨを再検出する第１手段５１０と、予め設定されたＲＮＴＩとＭＣＣＨ識別子との第２対応関係に基づき、上記第１ＤＣＩ又は第２ＤＣＩのスクランブリング処理に使用されたＲＮＴＩに対応するＭＣＣＨ識別子を確認し、当該ＭＣＣＨ識別子に対応するＭＣＣＨを再検出する第２手段５１１と、予め設定されたビット位置とＭＣＣＨ識別子との第３対応関係に基づき、上記第１ＤＣＩ内の値が設定値であるビット位置に対応するＭＣＣＨ識別子を確認し、当該ＭＣＣＨ識別子に対応するＭＣＣＨに対して再検査する第３手段５１２と、上記第１ＤＣＩに含まれる各データセグメントの特定ビットの値を判断し、当該データセグメント内の特定ビットの値が設定値ある場合、予め設定されたデータセグメント位置とＭＣＣＨ識別子との第３対応関係に基づき、当該データセグメント位置に対応するＭＣＣＨ識別子を確認し、当該ＭＣＣＨ識別子に対応するＭＣＣＨを再検出する第４手段５１３とのうちの一つ又は任意の組み合わせを含む。
【００８９】
当該端末３１は更に、上記ＭＣＣＨの変更された全部の伝送内容が上記通知に含まれているか否かを判断する判断手段５２を含む。
この際、上記判断手段により上記ＭＣＣＨの変更された全部の伝送内容が上記判断手段に含まれていないと判断された場合、上記ＭＣＣＨを再検出する上記チャネル再検出ユニット手段５１とを含む。
【００９０】
上記説明したように、本発明の有益な効果は以下に記述する。
【００９１】
本発明の実施形態に係る技術案において、基地局３０は配置されたＭＣＣＨの伝送内容に変更があったと判断し、ＰＤＣＣＨによりＭＣＣＨ伝送内容の変更通知を端末３１に送信し、端末３１はＰＤＣＣＨにおいて基地局３０から送信されるＭＣＣＨ伝送内容の変更通知を受信した後、受信した通知により上記ＭＣＣＨを再検出する。
基地局３０がＭＣＣＨ伝送内容変更を端末３１に通知することにより、ＵＥはＭＣＣＨ伝送内容変更状況を了解できるようになり、変更があった際のみ当該ＭＣＣＨを再検査する。
当該ＭＣＣＨを周期的に再検査する必要を無くし、ＵＥがＭＣＣＨに対する不要なモニタリングを回避し、チャネルモニタリングするための端末リソースを節約できる。
【００９２】
無論、当業者により、上述した実施形態に記述された技術的な解決手段を改造し、又はその中の一部の技術要素を置換することもできる。
そのような改造と置換は本発明の各実施形態の技術の範囲から逸脱するとは見なされない。
【図１】
2013500643.tif 000003
【図２Ａ】
2013500643.tif 000004
【図２Ｂ】
2013500643.tif 000005
【図３】
2013500643.tif 000006
【図４】
2013500643.tif 000007
【図５】
2013500643.tif 000008
【手続補正書】
【提出日】平成24年1月26日(2012.1.26)
【手続補正１】
【補正対象書類名】明細書
【補正対象項目名】全文
【補正方法】変更
【補正の内容】
【発明の詳細な説明】
【技術分野】
【０００１】
本発明は無線通信領域に関し、特にチャネル内容の変更通知、チャネル再検査の方法、システム及び装置に関する。
【背景技術】
【０００２】
マルチメディア・ブロードキャスト・マルチキャスト・サービス（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ，ＭＢＭＳ）は無線セル内のユーザーにマルチメディアブロードキャストとマルチキャストサービスを提供することに用いられる。
長期進化（Ｌｏｎｇ  Ｔｅｒｍ  Ｅｖｏｌｕｔｉｏｎ，ＬＴＥ）システムにおいて、ＭＢＭＳ専用の周波数レイヤおよび非ＭＢＭＳサービスの共有周波数レイヤは両方ともＭＢＭＳを提供できる。
ＭＢＭＳ専用周波数レイヤはＭＢＭＳ伝送に専用される周波数レイヤを指す。
ＭＢＭＳ専用周波数レイヤに配置されたセルはＭＢＭＳ専用セルと呼ばれ、非ＭＢＭＳ伝送専用の周波数レイヤに配置されたセルはＭＢＭＳ／ユニキャスト混合セルと呼ばれる。
ＭＢＭＳ／ユニキャスト混合セルにおけるユニキャストサービスおよびＭＢＭＳサービスは協同に伝送され、一部のタイミングはＭＢＭＳサービスの伝送に用いられ、他のタイミングはユニキャストサービスの伝送に用いられる。
【０００３】
ＭＢＭＳ伝送は単一セルＭＢＭＳおよびマルチセルＭＢＭＳの２種類の伝送形態に分けられる。
単一セルＭＢＭＳの伝送は一対多（ｐｏｉｎｔ−ｔｏ−ｍｕｌｔｉｐｏｉｎｔ、ＰＴＭ）方式を採用し、一つの特定なセル範囲内でのみＭＢＭＳを伝送し、マルチセルからのＭＢＭＳ伝送の組み合わせには対応しない。
マルチセルＭＢＭＳの伝送はマルチキャスト単一周波数ネットワーク（ＭＢＳＦＮ）方式、即ち、複数のセル内で同一信号を同時送信する伝送方式に対応する必要がある。
【０００４】
ＭＢＭＳに関連するロジカル・チャネルはマルチキャストサービスチャネル（Ｍｕｌｔｉｃａｓｔ  Ｔｒａｆｆｉｃ  Ｃｈａｎｎｅｌ、ＭＴＣＨ）およびＭＢＭＳの一対多制御チャネル（Ｍｕｌｔｉ―ｐｏｉｎｔ  Ｃｏｎｔｒｏｌ  Ｃｈａｎｎｅｌ，ＭＣＣＨ）を含む。
【０００５】
そのうち、ＭＴＣＨは、ネットワークから端末（ＵＥ）へのＭＢＭＳサービスデータ伝送用の一対多下りリンクチャネルであり、ＭＢＭＳサービスの受信できるＵＥのみに使用できる。
ＭＴＣＨの情報は対応するＭＣＣＨにより指示される。
ネットワーク側はブロードキャスト制御チャネル（Ｂｒｏａｄｃａｓｔ  Ｃｏｎｔｒｏｌ  Ｃｈａｎｎｅｌ、ＢＣＣＨ）でＵＥにＭＣＣＨを指示し、又、ＭＣＣＨでＵＥにＭＴＣＨを指示して、ＵＥがＭＴＣＨで伝送されるＭＢＭＳサービスを受信できるようにする。
【０００６】
ＭＣＣＨはネットワークからＵＥへのＭＢＭＳ制御情報の伝送に用いられる一対多下りリンクチャネルであり、１つのＭＣＣＨは１つ又は複数のＭＴＣＨを制御する。
ＭＣＣＨは、ＭＢＭＳサービスを受信するＵＥのみに読み取られ、ＭＢＳＦＮ上の伝送の際にＭＣＨにマッピングされ、一方、非ＭＢＳＦＮ伝送の際に下りリンク補充チャネル（ＤＬ−ＳＣＨ）にマッピングされる。
【０００７】
現在、システムにおける無線ネットワーク一時識別子（Ｒａｄｉｏ  Ｎｅｔｗｏｒｋ  Ｔｅｍｐｏｒａｒｙ  Ｉｄｅｎｔｉｆｉｅｒ、ＲＮＴＩ）はセル専用のＲＮＴＩおよびユーザー専用のＲＮＴＩの二種があり、セル専用のＲＮＴＩはページングＲＮＴＩ（Ｐ−ＲＮＴＩ）、システム情報ＲＮＴＩ（ＳＩ−ＲＮＴＩ）などの例が挙げられ、セル内の全部ユーザーが読み取る必要な共用情報に対応する制御シグナリング（ＤＣＩ）又は共通シグナリングを、スクランブリングして、それらを物理下り制御チャネル（ｐｈｙｓｉｃａｌ  ｄｏｗｎｌｉｎｋ  ｃｏｎｒｏｌ  ｃｈａｎｎｅｌ、ＰＤＣＣＨ）の共通検索領域内で伝送する。
一方、ユーザー専用のＲＮＴＩは、セルＲＮＴＩ（ｃｅｌｌ  ＲＮＴＩ、Ｃ−ＲＮＴＩ）即ち、各ＵＥのＭＡＣ層番号のような例が挙げられ、ユーザー専有のデータ情報に対応する制御シグナリング又は専用シグナリングをスクランブリングして、ＰＤＣＣＨのユーザー専用検索領域内で伝送する。
ユーザーは制御シグナリングを受信する際、スクランブリング処理に使用されたＲＮＴＩを検出することにより、自身宛の制御シグナリングであるか否かを識別できる。
【０００８】
ユーザーはＰＤＣＣＨを受信する際、基地局が下りリンク制御シグナリングの送信に使用されたフォーマットを判断できないため、ＤＣＩフォーマットに対してブラインド検出を行う。
即ち、システムに定義された異なる情報長およびＣＣＥ集団レベルをそれぞれ使用してデコードを行い、又、ＣＲＣチェックにより正しく受信したか否かを確認する。
【発明の開示】
【発明が解決しようとする課題】
【０００９】
本発明を実現する過程で、発明者は従来技術に以下の問題点があることに気づいた。
【００１０】
従来技術において、ＭＴＣＨ関連の制御シグナリングはＭＣＣＨにより周期的に送信されている。
ＭＣＣＨで伝送される制御シグナリングの内容は変化性が小さく、準静的に配置されたものであるため、ＵＥはＭＣＣＨを周期的にモニタリングすると、ＭＣＣＨから同じ制御シグナリング内容を繰り返して受信してしまい、リソースの浪費をもたらした。
【課題を解決するための手段】
【００１１】
本発明は上記の問題点を鑑ってなされたものであり、本発明者らは鋭意研究した結果、ＭＣＣＨ伝送内容変更状態を了解できるチャネル内容の変更通知の方法および基地局を提供し、従来技術においてＵＥがＭＣＣＨ伝送内容変更状況を了解できない問題点を解決する。
【００１２】
本発明に係るチャネル内容の変更通知の方法は、基地局が配置されたマルチメディア・ブロードキャスト・マルチキャスト・サービス（ＭＢＭＳ）の一対多制御チャネル（ＭＣＣＨ）伝送内容に変更があったと確認するステップと、基地局は物理下り制御チャネル（ＰＤＣＣＨ）により、上記ＭＣＣＨ伝送内容の変更通知を端末に送信するステップとを含む内容の変更通知。
【００１３】
また、本発明に係る基地局は、配置されたマルチメディア・ブロードキャスト・マルチキャスト・サービス（ＭＢＭＳ）の一対多制御チャネル（ＭＣＣＨ）伝送内容に変更があったかどうかを確認する変更確認手段と、上記変更確認手段によりＭＣＣＨ伝送内容の変更が確認された後、物理下り制御チャネル（ＰＤＣＣＨ）により上記ＭＣＣＨ伝送内容の変更通知を端末に送信する変更通知手段とを含む。
【００１４】
また、本発明の実施形態は、チャネルをモニタリングにかかるリソースを節約できるチャネル再検出方法、チャネル再検出システムおよび端末を提供する。
【００１５】
本発明に係る上記チャネル再検査方法は、端末が物理下り制御チャネル（ＰＤＣＣＨ）において基地局から送信されたマルチメディア・ブロードキャスト・マルチキャスト・サービス（ＭＢＭＳ）一対多制御チャネル（ＭＣＣＨ）伝送内容の変更通知を受信するステップと、端末は上記通知により上記ＭＣＣＨに対して再検査するステップとを含む。
【００１６】
本発明に係る上記チャネル再検査システムは、配置されたマルチメディア・ブロードキャスト・マルチキャスト・サービス（ＭＢＭＳ）の一対多制御チャネル（ＭＣＣＨ）伝送内容の変更有無を確認した後、物理下り制御チャネル（ＰＤＣＣＨ）により上記ＭＣＣＨ伝送内容の変更通知を端末に送信する基地局と、上記ＰＤＣＣＨにおいて上記通知を受信して、上記通知により上記ＭＣＣＨを再検出する端末とを含む。
【００１７】
本発明に係る上記端末は、物理下り制御チャネル（ＰＤＣＣＨ）において基地局から送信されたマルチメディア・ブロードキャスト・マルチキャスト・サービス（ＭＢＭＳ）の一対多制御チャネル（ＭＣＣＨ）伝送内容の変更通知を受信する変更通知受信手段と、上記通知により上記ＭＣＣＨを再検出するチャネル再検出手段とを含む。
【発明の効果】
【００１８】
本発明において、基地局は配置されたＭＣＣＨ伝送内容に変更があったと判断してから、ＰＤＣＣＨによりＭＣＣＨ伝送内容の変更通知を端末に送信し、端末はＰＤＣＣＨにおいて当該通知を受信した後、当該通知により上記ＭＣＣＨを再検出する。
基地局がＭＣＣＨ伝送内容変更を端末に通知することにより、端末はＭＣＣＨ伝送内容に変更があったかどうかが分かるようになり、変更があった際のみ当該ＭＣＣＨを再検出する。
当該ＭＣＣＨを周期的に再検出する必要を無くし、ＵＥがＭＣＣＨに対する不要なモニタリングを行わず、チャネルモニタリングするための端末リソースを節約できる。
【図面の簡単な説明】
【００１９】
【図１】本発明の実施形態に係る方法のフローを示す図である。
【図２Ａ】本発明の実施形態におけるＤＣＩフォーマットの一例を示す図である。
【図２Ｂ】本発明の実施形態におけるＤＣＩフォーマットのもう一例を示す図である。
【図３】本発明の実施形態に係るシステムの構造イメージを示す図である。
【図４】本発明の実施形態に係る基地局の構造イメージを示す図である。
【図５】本発明の実施形態に係る端末の構造イメージを示す図である。
【発明を実施するための形態】
【００２０】
従来の技術では、ＵＥがＭＣＣＨを周期的にモニタリングし、リソースの浪費をもたらしていた。
それを解決するため、本発明の実施形態はチャネル内容の変更通知およびチャネル再検出の方法を提供した。
本方法において、基地局は配置されたＭＣＣＨ伝送内容に変更があったと判断した後、端末に対してＭＣＣＨ伝送内容の変更通知を送信し、端末は当該通知により当該ＭＣＣＨを再検出する。
【００２１】
図１に示したように、本発明の実施形態に係るチャネル内容の変更通知およびチャネル再検出の方法は、基地局３０が配置されたＭＣＣＨ伝送内容に変更があったと判断するステップ１０と、基地局３０が物理下り制御チャネル（ＰＤＣＣＨ）によりＭＣＣＨ伝送内容の変更通知を端末３１に送信するステップ１１と、端末３１がＰＤＣＣＨにおいて基地局３０から送信されるＭＣＣＨ伝送内容の変更通知を受信するステップ１２と、端末３１が受信された通知により上記ＭＣＣＨを再検出するステップ１３とを含む。
【００２２】
ステップ１１において基地局３０は以下の２種の実施方式で端末３１に変更通知を送信できる。
【００２３】
［実施方式１］
先ず、基地局３０はＭＣＣＨ伝送内容変更を通知するための第１制御シグナリング（ＤＣＩ）を生成する。
そして、第１ＤＣＩに対応する予め定義された第１無線ネットワーク一時識別子（ＲＮＴＩ）を使用して、第１ＤＣＩをスクランブリングする。
最後、ＰＤＣＣＨによりスクランブリングされた第１ＤＣＩを端末３１に送信する。
【００２４】
［実施方式２］
先ず、基地局３０はＬＴＥシステムにおけるセル専用の第２ＲＮＴＩに対応する第２ＤＣＩを生成する。
そして、予め定義された第１ＲＮＴＩと第２ＲＮＴＩとを使用して第２ＤＣＩをスクランブリングする。
最後、上記ＰＤＣＣＨによりスクランブリングされた第２ＤＣＩを端末３１に送信する。
【００２５】
第２ＲＮＴＩはＬＴＥシステムに既存のセル専用のＲＮＴＩであり、当該ＲＮＴＩはＰ−ＲＮＴＩ、ＳＩ−ＲＮＴＩ、ランダムアクセスＲＮＴＩ（ＲＡ−ＲＮＴＩ）などを含む。
【００２６】
上述基地局３０は以下の２種の実施方式で第１ＤＣＩを生成できる。
【００２７】
［実施方式１］
基地局３０は伝送内容が変更されたＭＣＣＨの数量、又は伝送内容が変更されたＭＣＣＨの数量およびＭＣＣＨの変更された伝送内容に基づき、予め設定されたビット長を選定し、当該ビット長を有するＤＣＩを生成して第１ＤＣＩにする。
【００２８】
［実施方式２］
基地局３０は伝送内容が変更されたＭＣＣＨの数量、又は伝送内容が変更されたＭＣＣＨの数量およびＭＣＣＨの変更された伝送内容に基づき、既にＬＴＥシステムにおいて使用されているＤＣＩフォーマットを選定し、当該ＤＣＩフォーマットのビット長と同じビット長を有するＤＣＩを生成して第１ＤＣＩにする。
既にＬＴＥシステムで使用されているＤＣＩフォーマットは、ＰＤＣＣＨの共通検索領域で伝送するためのフォーマット１Ａ／１Ｃ／３／３Ａなどを含む。
【００２９】
実施方式１を採用する場合、多様な第１ＤＣＩ生成方法があり、下記の例を挙げて説明する。
【００３０】
［例その１］伝送内容が変更されたＭＣＣＨが一つのＭＣＣＨである場合、基地局３０は１ビット長のＤＣＩを生成して第１ＤＣＩにする。
【００３１】
［例その２］伝送内容が変更されたＭＣＣＨが一つのＭＣＣＨであり、且つ第１ＤＣＩで当該ＭＣＣＨの変更された伝送内容を伝送する必要がある場合、当該変更された伝送内容を表示するために必要とするビット長以上のビット長を有するＤＣＩを生成して第１ＤＣＩにし、ＭＣＣＨの変更された伝送内容を第１ＤＣＩに含ませる。
又、ＭＣＣＨの変更された全部の伝送内容が当該第１ＤＣＩに含まれているか否かを表示するための情報も当該第１ＤＣＩに含ませても良い。
【００３２】
［例その３］伝送内容が変更されたＭＣＣＨが複数のＭＣＣＨである場合、基地局３０はＮビット長を有するＤＣＩを生成して第１ＤＣＩにし、複数のＭＣＣＨにおける各ＭＣＣＨに対して、第１ＤＣＩ内の当該ＭＣＣＨに対応するビットの値を当該ＭＣＣＨ伝送内容の変更を表示するためのデータに設定し、そのうち、Ｎは基地局３０がカバーするセルに収容されるＭＣＣＨの個数である。
【００３３】
［例その４］伝送内容が変更されたＭＣＣＨが複数のＭＣＣＨであり、且つ第１ＤＣＩで複数のＭＣＣＨの変更された伝送内容を伝送する必要がある場合、基地局３０はＮ個のデータセグメントを含むＤＣＩを生成して第１ＤＣＩにし、複数のＭＣＣＨにおける各ＭＣＣＨに対して、第１ＤＣＩ内の当該ＭＣＣＨに対応するデータセグメントの特定ビットの値を、当該ＭＣＣＨ伝送内容変更を表示するためのデータに設定し、又、当該データセグメント内の他のビットで当該ＭＣＣＨの変更された伝送内容を含ませ、更に又、当該ＭＣＣＨの変更された全部の伝送内容が当該データセグメントに含まれているか否かを表示するための情報も当該データセグメントに含まれても良い。
【００３４】
実施方式２を採用する場合も、多様な第１ＤＣＩ生成方法を使用できる。
以下は例を挙げて説明する。
【００３５】
［例その１］伝送内容が変更されたＭＣＣＨが一つのＭＣＣＨである場合、基地局３０はＬＴＥシステムに既存の最小ビット長のＤＣＩフォーマットを選定し、当該ＤＣＩフォーマットと同じビット長を有するＤＣＩを生成して第１ＤＣＩにする。
【００３６】
［例その２］伝送内容が変更されたＭＣＣＨが一つであり、且つ第１ＤＣＩで当該ＭＣＣＨの変更された伝送内容を伝送する必要がある場合、ＬＴＥシステムに既存の、当該変更された伝送内容を表示するために必要とするビット長以上のビット長を有するＤＣＩフォーマットを選定し、当該ＤＣＩフォーマットと同じビット長を有するＤＣＩを生成して第１ＤＣＩにし、ＭＣＣＨの変更された伝送内容を第１ＤＣＩに含ませ、更に、ＭＣＣＨの変更された全部の伝送内容が第１ＤＣＩに含まれているか否かを表示するための情報も第１ＤＣＩに含ませても良い。
【００３７】
［例その３］伝送内容が変更されたＭＣＣＨが複数のＭＣＣＨである場合、基地局３０はＬＴＥシステムに既存のＮビット以上のビット長を有するＤＣＩフォーマットを選定し、当該ＤＣＩフォーマットと同じビット長を有するＤＣＩを生成して第１ＤＣＩにし、複数のＭＣＣＨにおける各ＭＣＣＨに対して、第１ＤＣＩ内の当該ＭＣＣＨに対応するビットの値を、当該ＭＣＣＨ伝送内容変更を表示するためのデータに設定し、そのうち、Ｎは基地局３０がカバーするセルに収容されるＭＣＣＨの個数である。
【００３８】
［例その４］伝送内容が変更されたＭＣＣＨが複数のＭＣＣＨであり、且つ第１ＤＣＩで複数のＭＣＣＨの変更された伝送内容を伝送する必要がある場合、基地局３０はＬＴＥシステムに既存の、Ｎ個のデータセグメントビット長以上のビット長を有するＤＣＩフォーマットを選定し、当該ＤＣＩフォーマットと同じビット長を有するＤＣＩを生成して第１ＤＣＩにし、複数のＭＣＣＨにおける各ＭＣＣＨに対して、第１ＤＣＩ内の当該ＭＣＣＨに対応するデータセグメントの特定ビットの値を、当該ＭＣＣＨ伝送内容変更を表示するためのデータに設定し、又、当該データセグメントの他のビットに当該ＭＣＣＨの変更された伝送内容を含ませる。
更に又、当該ＭＣＣＨの変更された全部の伝送内容が当該データセグメントに含まれているか否かを表示するための情報も当該データセグメントに含ませても良い。
【００３９】
上述基地局３０が第１ＲＮＴＩと第２ＲＮＴＩとを使用して第２ＤＣＩをスクランブリングするには、複数の実施方式が使用できる。
例えば、第１ＲＮＴＩおよび第２ＲＮＴＩに対して数学演算を実行して、得られた第３ＲＮＴＩで第２ＤＣＩをスクランブリングする。
又は、第１ＲＮＴＩおよび第２ＲＮＴＩをそれぞれ使用して第２ＤＣＩを１回スクランブリングする。
本発明において第１ＲＮＴＩおよび第２ＲＮＴＩに対する数学演算は排他的論理和演算、加算演算、引き算演算などであっても良い。
【００４０】
基地局３０は第３ＲＮＴＩを保留する必要がある。
即ち、基地局３０は第１ＲＮＴＩおよび第２ＲＮＴＩを割り当てて、第３ＲＮＴＩの具体的な値を獲得することにより、第３ＲＮＴＩを自身に保留し、当該第３ＲＮＴＩを端末３１に割り当てない。
【００４１】
本発明において、基地局３０の通知送信時間はＭＣＣＨ伝送内容に変更があったと判断した後の任意の時間であっても良い。
例えば、予め設定されたＭＣＣＨ識別子および通知送信時間の第１対応関係により伝送内容が変更されたＭＣＣＨの識別子に対応する通知送信時間を確認し、当該通知送信時間に第１ＤＣＩ又は第２ＤＣＩを送信すれば良い。
無論、当該方式は１つの第１ＤＣＩで一つのＭＣＣＨ伝送内容変更を通知することのみに利用できる。
【００４２】
本発明における第１ＲＮＴＩは１個のＲＮＴＩのみを含んでも良い。
即ち、基地局３０は統一的に当該ＲＮＴＩを使用して第１ＤＣＩをスクランブリングする。
【００４３】
また、第１ＲＮＴＩは、複数のＲＮＴＩを含んでも良い、即ち、基地局３０がカバーするセルに収容されるＭＣＣＨ毎に１つの第１ＲＮＴＩに対応する。
具体的に、ＭＣＣＨ識別子およびＲＮＴＩの第２対応関係を予め設定し、基地局３０はある特定なＭＣＣＨ伝送内容変更を通知するための第１ＤＣＩを送信する際、先ず第２対応関係により当該ＭＣＣＨの識別子に対応するＲＮＴＩを確認し、当該ＲＮＴＩで当該第１ＤＣＩをスクランブリングする。
無論、当該方式は１つの第１ＤＣＩで一つのＭＣＣＨ伝送内容変更を通知することのみに利用できる。
【００４４】
ステップ１２において、端末３１はＰＤＣＣＨにおいて基地局３０から送信されるＭＣＣＨ伝送内容の変更通知を受信する方法も以下の２種がある。
【００４５】
［受信方法１］
先ず、端末３１はＰＤＣＣＨにおいてＤＣＩを受信する。
そして、受信したＤＣＩのスクランブリング処理に使用したＲＮＴＩは第１ＲＮＴＩであるか否かを検出し、第１ＲＮＴＩである場合、受信したＤＣＩはＭＣＣＨ伝送内容変更を通知するための第１ＤＣＩであると確認する。
【００４６】
［受信方法２］
先ず、端末３１はＰＤＣＣＨにおいて制御シグナリングＤＣＩを受信する。
そして、当該ＤＣＩのスクランブリング処理に第１ＲＮＴＩおよびＬＴＥシステムにおけるセル専用の第２ＲＮＴＩを使用したか否かを検出し、第１ＲＮＴＩおよびＬＴＥシステムにおけるセル専用の第２ＲＮＴＩを使用した場合、受信したＤＣＩは第２ＲＮＴＩに対応する第２ＤＣＩであると確認し、当該第２ＤＣＩをＭＣＣＨ伝送内容変更を通知するためのシグナリングとする。
説明すべきことは、第２ＤＣＩは、従来の役割が依然として保持されている以上、本発明でＭＣＣＨ伝送内容変更を通知することにも更に用いられる。
【００４７】
上述端末３１が受信したＤＣＩのスクランブリング処理に、第１ＲＮＴＩおよび第２ＲＮＴＩを使用したか否かを検出する実施方法は以下の２種がある。
【００４８】
［検出方法１］
受信したＤＣＩのスクランブリング処理に使用したＲＮＴＩは第３ＲＮＴＩであるか否かを判断し、当該第３ＲＮＴＩは第１ＲＮＴＩおよび第２ＲＮＴＩに対して数学演算を実行して得られたＲＮＴＩであるため、第３ＲＮＴＩが検出されたことにより、ＤＣＩのスクランブリング処理に第１ＲＮＴＩおよび第２ＲＮＴＩを使用したと確認できる。
【００４９】
［検出方法２］
それぞれ第１ＲＮＴＩおよび第２ＲＮＴＩを使用して受信したＤＣＩを１回スクランブリングしたか否かを判断し、そうである場合、ＤＣＩのスクランブリング処理に第１ＲＮＴＩおよび第２ＲＮＴＩを使用したと確認する。
【００５０】
基地局３０が第１ＤＣＩ又は第２ＤＣＩを生成する異なる方式に応じて、端末３１は複数種の方式で、受信した第１ＤＣＩ又は第２ＤＣＩによりＭＣＣＨを再検出できる。
以下、例を挙げて説明する。
【００５１】
［例その１］予め設定された上述第１対応関係に基づき、第１ＤＣＩ又は第２ＤＣＩを受信する時間に対応するＭＣＣＨ識別子を確認し、当該ＭＣＣＨ識別子に対応するＭＣＣＨを再検出する。
【００５２】
［例その２］予め設定された上述第２対応関係に基づき、受信した第１ＤＣＩ又は第２ＤＣＩのスクランブリング処理に使用したＲＮＴＩに対応するＭＣＣＨ識別子を確認して、当該ＭＣＣＨ識別子に対応するＭＣＣＨを再検出する。
【００５３】
［例その３］予め設定されたビット位置とＭＣＣＨ識別子との第３対応関係に基づき、第１ＤＣＩ内の値が設定値であるビット位置に対応するＭＣＣＨ識別子を確認し、当該ＭＣＣＨ識別子に対応するＭＣＣＨを再検出する。
【００５４】
［例その４］受信した第１ＤＣＩに含まれる各データセグメントに対して、データセグメント内の特定ビットの値が設定値である場合、予め設定されたデータセグメント位置とＭＣＣＨ識別子との第４対応関係に基づき、当該データセグメント位置に対応するＭＣＣＨ識別子を確認し、当該ＭＣＣＨ識別子に対応するＭＣＣＨを再検出する。
【００５５】
好ましくは、上記端末３１は通知によりＭＣＣＨを再検出する前、当該通知にＭＣＣＨの変更された全部の伝送内容が含まれているか否かを判断し、当該通知にＭＣＣＨの変更された全部の伝送内容が含まれていないと判断した場合、当該ＭＣＣＨを再検出する。
ここで、端末３１は第１ＤＣＩ内の特定ビットの値により、ＭＣＣＨの変更された全部の伝送内容が通知に含まれているか否かを判断できる。
例えば、第１ＤＣＩは一つのＭＣＣＨ伝送内容変更を通知するために用いられる場合、第１ＤＣＩ内の第２ビットの値が１であるか否かを判断し、１である場合、通知には当該ＭＣＣＨの変更された全部の伝送内容が含まれていると判断し、又、第１ＤＣＩは複数のＭＣＣＨ伝送内容変更を通知するために用いられる場合、第１ＤＣＩ内のあるデータセグメントの第２ビットの値が１であるか否かを判断し、１である場合、通知には当該ＭＣＣＨの変更された全部の伝送内容が含まれていると判断する。
【００５６】
以下、具体的な実施形態で本発明の方法を説明する。
【００５７】
［実施形態１］
本実施形態において、基地局３０は予め設定されたビット長のＤＣＩで、ＭＣＣＨ伝送内容の変更通知を送信し、又、Ｍ−ＲＮＴＩでＤＣＩをスクランブリングしてからＰＤＣＣＨの共通検索領域内で伝送する。
当該技術案におけるＤＣＩの効率性が良く、即ち、ＤＣＩ内の無用ビットが少ない。
【００５８】
予め設定されたビット長が１ビットである場合、基地局３０はある特定なＭＣＣＨ伝送内容が変更されたことのみを通知し、且つ具体的な変更内容が通知に含まれていない場合、端末３１はＰＤＣＣＨにおいてＭ−ＲＮＴＩでスクランブリングされたＤＣＩを検出できれば、予め設定された第１対応関係又は第２対応関係に基づき、ＭＣＣＨ伝送内容が変更されたＭＣＣＨを確認でき、そして変更があったＭＣＣＨを再検出する。
【００５９】
予め設定されたビット長がＮビットである場合、Ｎの具体的な値はシステムにより予め設定され、基地局３０がカバーするセルが収容できるＭＣＣＨの最大数量である。
当該セルはＭ個のＭＣＣＨ（Ｍ≦Ｎ）を収容している場合、Ｍ個のＭＣＣＨに対応するＩＤ番号の順で、ＤＣＩ先頭のＭビットを使用してＭ個のＭＣＣＨ上の伝送内容変更をそれぞれ表示し、即ち、１個のＤＣＩでＭ個のＭＣＣＨ伝送内容変更状況を表示できる。
具体的に、ＤＣＩ先頭のＭビットにおいて、伝送内容が変更されたＭＣＣＨに対応するビットの値を「１」に設定し、他のビットの値を「０」に設定し、そして、残ったＮ−Ｍビットは保留される。
端末３１はＰＤＣＣＨにおいてＭ−ＲＮＴＩでスクランブリングされたＤＣＩを検出した後、ＤＣＩ内の「１」に設定されたビットに対応するＭＣＣＨ伝送内容が変更されたことを了解して、変更されたＭＣＣＨを再検出する。
図２ＡはＤＣＩのフォーマットの例を示す図である。
【００６０】
［実施形態２］
本実施形態において、基地局３０はＬＴＥシステムに既存のＤＣＩフォーマットによりＤＣＩを生成し、当該ＤＣＩでＭＣＣＨ伝送内容の変更通知を送信する。
上記変更通知の送信は、Ｍ−ＲＮＴＩでＤＣＩをスクランブリングしてからＰＤＣＣＨの共通検索領域内で伝送される。
本解決案は端末３１のブラインド検出回数を増加しない。
【００６１】
ＬＴＥ  Ｒｅｌ−８システムにおいて、共通検索領域におけるＤＣＩは１Ａ／１Ｃ／３／３Ａという４種類のフォーマットのみを使用できる。
【００６２】
基地局３０がある特定なＭＣＣＨ伝送内容の変更のみを通知し、且つ具体的な変更内容が通知に含まれていない場合、端末３１はＰＤＣＣＨにおいてＭ−ＲＮＴＩでスクランブリングされたＤＣＩを検出できれば、予め設定された第１対応関係又は第２対応関係により伝送内容が変更されたＭＣＣＨを確認でき、そして、変更されたＭＣＣＨを再検出する。
その場合のＤＣＩ内の各ビットの値は自由に設定でき、簡単に全て「０」又は全て「１」に設定できる。
ＤＣＩの効率性を考慮するため、その場合に１Ａ／１Ｃ／３／３Ａの中から長さの最も短いＤＣＩフォーマットを選定できる。
【００６３】
基地局３０がカバーするセルはＭ個のＭＣＣＨを収容している場合、フォーマット１Ａ／１Ｃ／３／３Ａの中からＭに最も近く且つＭ以上であるビット長を有するＤＣＩフォーマットを選定でき、又、Ｍ個のＭＣＣＨに対応するＩＤ番号の順で、ＤＣＩ内の先頭のＭビットを使用してＭ個のＭＣＣＨの変更状況をそれぞれ表示し、即ち、１つのＤＣＩでＭ個のＭＣＣＨ伝送内容変更状況を表示できる。
具体的に、ＤＣＩの先頭のＭビットにおいて、伝送内容が変更されたＭＣＣＨに対応するビットの値を「１」に、他のビットの値を「０」に設定し、残ったＮ−Ｍビットは保留にされる。
端末３１はＰＤＣＣＨにおいてＭ−ＲＮＴＩでスクランブリングされたＤＣＩを検出した後、ＤＣＩ内の値が「１」であるビットに対応するＭＣＣＨ伝送内容が変更されたことを了解して、変更されたＭＣＣＨを再検出する。
【００６４】
ＭＣＣＨ伝送内容の変更通知に、ある特定番組の追加又は削除のような簡単且つ常用なＭＣＣＨの変更された伝送内容が含まれている場合、当該変更された伝送内容をＤＣＩに含ませることができる。
その場合、端末３１はＤＣＩを受信すると、ＭＣＣＨの変更された具体的な伝送内容を直ちに了解できる。
【００６５】
基地局３０はある特定なＭＣＣＨ伝送内容が変更されたことのみを通知する場合、変更された伝送内容の具体的な長さＰにより、１Ａ／１Ｃ／３／３Ａの中からＰに最も近くて且つＰ以上の長さを有するＤＣＩフォーマットを選定できる。
ＤＣＩ内の初めのビットによりＭＣＣＨの変更された全部の伝送内容が当該ＤＣＩに含まれているか否かを示し、例えば、初めのビットを「１」に設定した場合、ＭＣＣＨの変更された全部の伝送内容が当該ＤＣＩに含まれていることを表示し、初めのビットを「０」に設定した場合、ＭＣＣＨの変更された伝送内容が当該ＤＣＩに含まれず、又はＭＣＣＨの変更された全部の伝送内容が当該ＤＣＩに含まれていないことを表示する。
その場合、端末３１はＰＤＣＣＨにおいてＭ−ＲＮＴＩでスクランブリングされたＤＣＩを検出した後、予め設定された第１対応関係又は第２対応関係により伝送内容が変更されたＭＣＣＨを確認でき、又、当該ＤＣＩの初めのビットが「１」である場合、当該ＭＣＣＨを再検出する。
【００６６】
基地局３０がカバーするセルはＭ個のＭＣＣＨを収容している場合、１Ａ／１Ｃ／３／３Ａの中からＮ個のデータセグメント以上のビット長を有するＤＣＩフォーマットを選定し、当該フォーマットにより生成したＤＣＩのビット配列をＮ個のデータセグメントに分割し、ＭＣＣＨのＩＤ番号の順で各データセグメントを使用して各ＭＣＣＨ伝送内容変更状況を指示する。
そのうち、各データセグメントの初めのビットは対応するＭＣＣＨは変更か否かの有無を示す（例えば、初めのビットが「１」である場合、変更有を表示し、「０」である場合、変更がないと表示する）。
変更があった場合、当該データセグメント内の他のビットで具体的な変更内容（具体的な方法は上記と同じ）を示し、変更無の場合、当該データセグメント内の他のビットを保留にする。
端末３１はＰＤＣＣＨにおいてＭ−ＲＮＴＩでスクランブリングされたＤＣＩを検出した後、当該ＤＣＩに含まれた各データセグメントの値を判断して、初めのビットの値が「１」であるデータセグメントに対応するＭＣＣＨを再検出する。
図２ＢはＤＣＩフォーマットの一例を示す図である。
【００６７】
［実施形態３］
本実施形態において、基地局３０は既存のＰ−ＲＮＴＩに対応するＤＣＩを使用して、ＭＣＣＨ伝送内容の変更通知を送信し、又、上記変更通知をＭ−ＲＮＴＩおよびＰ−ＲＮＴＩを使用してＤＣＩをスクランブリングしてからＰＤＣＣＨの共通検索領域内で伝送する。
【００６８】
基地局３０のカバーセルがＭ個のＭＣＣＨを収容している場合、基地局３０はＰ−ＲＮＴＩに対応するＤＣＩをＭ回送信する必要があり、各ＤＣＩの長さは１ビットである。
ＤＣＩを送信する度に、Ｍ−ＲＮＴＩとＰ−ＲＮＴＩとに対して排他的論理和演算を実行して、得られたＸ−ＲＮＴＩでＤＣＩをスクランブリングする。
【００６９】
端末３１は、ＰＤＣＣＨにおいてＸ−ＲＮＴＩでスクランブリングされたＤＣＩを検出すると、予め設定された第１対応関係又は第２対応関係により伝送内容が変更されたＭＣＣＨを確認できるようになって、変更されたＭＣＣＨを再検出する。
【００７０】
また、図３は本発明の実施形態に係るチャネル再検出システムを示している。
当該システムは、配置されたＭＣＣＨ伝送内容に変更があったと判断した後、ＰＤＣＣＨにより上記ＭＣＣＨ伝送内容の変更通知を端末３１に送信する基地局３０と、上記ＰＤＣＣＨにおいて上記通知を受信し、上記通知により上記ＭＣＣＨを再検出する端末３１とを含む。
【００７１】
上記基地局３０は上記ＭＣＣＨ伝送内容変更を通知するための第１ＤＣＩを生成し、上記第１ＤＣＩに対応する予め定義された第１ＲＮＴＩで上記第１ＤＣＩをスクランブリングし、上記ＰＤＣＣＨによりスクランブリングされた第１ＤＣＩを端末３１に送信する。
【００７２】
それに対応して、上記端末３１は、上記ＰＤＣＣＨにおいてＤＣＩを受信した後、上記ＤＣＩのスクランブリング処理に使用したＲＮＴＩが第１ＲＮＴＩであるか否かを検出し、第１ＲＮＴＩであれば、受信されたＤＣＩが上記第１ＤＣＩであると確認する。
【００７３】
上記基地局３０は、ＬＴＥシステムにおけるセル専用の第２ＲＮＴＩに対応する第２ＤＣＩを生成し、予め定義された第１ＲＮＴＩおよび上記第２ＲＮＴＩを使用して上記第２ＤＣＩをスクランブリングし、上記ＰＤＣＣＨによりスクランブリングされた第２ＤＣＩを端末３１に送信する。
【００７４】
それに対応して、上記端末３１は、ＰＤＣＣＨにおいてＤＣＩを受信し、上記ＤＣＩのスクランブリング処理に上記第１ＲＮＴＩおよび第２ＲＮＴＩを使用したか否かを検出し、使用すれば、上記ＤＣＩは上記第２ＲＮＴＩに対応する第２ＤＣＩであると確認し、当該第２ＤＣＩを上記ＭＣＣＨ伝送内容変更の通知シグナリングとする。
【００７５】
上記基地局３０は、上記第１ＲＮＴＩおよび第２ＲＮＴＩに対して数学演算を実行して、得られた第３ＲＮＴＩで上記第２ＤＣＩをスクランブリングし、又は、上記第１ＲＮＴＩおよび第２ＲＮＴＩをそれぞれ使用して上記第２ＤＣＩを１回スクランブリングする。
【００７６】
それに対応して、上記端末３１は、受信したＤＣＩのスクランブリング処理に使用したＲＮＴＩが上記第３ＲＮＴＩであるか否か、又はそれぞれ上記第１ＲＮＴＩおよび第２ＲＮＴＩを使用して上記ＤＣＩを１回スクランブリングしたか否かを判断し、そうであれば、上記ＤＣＩのスクランブリング処理に第１ＲＮＴＩおよび第２ＲＮＴＩを使用したと確認する。
【００７７】
上記基地局３０は更に、上記ＭＣＣＨの変更された伝送内容を上記通知に含ませる。
それに対応して、上記端末３１は更に、上記ＭＣＣＨの変更された全部の伝送内容が上記通知に含まれているか否かを判断し、含まれている場合、上記ＭＣＣＨにを再検出する。
【００７８】
また、図４に示したように、本発明の実施形態は、チャネル再検出システムに適用できる基地局３０を提供し、当該基地局３０は配置されたＭＣＣＨ伝送内容に変更があったかどうかを確認する変更確認手段４０と、上記変更確認手段４０によりＭＣＣＨ伝送内容に変更有を確認した後、ＰＤＣＣＨにより上記ＭＣＣＨ伝送内容の変更通知を端末３１に送信する変更通知手段４１とを含む。
【００７９】
一つの実施形態において、上記変更通知手段４１は更に、上記ＭＣＣＨ伝送内容変更を通知するための第１制御シグナリングＤＣＩを生成する第１シグナリング生成手段４１０と、上記第１ＤＣＩに対応する予め定義された第１ＲＮＴＩで上記第１ＤＣＩをスクランブリングする第１シグナリングスクランブリング手段４１１と、上記ＰＤＣＣＨにより上記第１シグナリングスクランブリング手段４１１でスクランブリングされた第１ＤＣＩを端末３１に送信する第１シグナリング送信手段４１２とを含む。
【００８０】
一つの実施形態において、上記変更通知手段４１は更に、ＬＴＥシステムにおけるセル専用の第２ＲＮＴＩに対応する第２ＤＣＩを生成する第２シグナリング生成手段４１３と、予め定義された第１ＲＮＴＩおよび上記第２ＲＮＴＩを使用して上記第２ＤＣＩをスクランブリングする第２シグナリングスクランブリング手段４１４と、上記ＰＤＣＣＨにより、上記第２シグナリングスクランブリング手段４１４でスクランブリングされた第２ＤＣＩを端末３１に送信する第２シグナリング送信手段４１５とを含む。
【００８１】
上記第２シグナリングスクランブリング手段４１４は更に、上記第１ＲＮＴＩおよび第２ＲＮＴＩに対して数学演算を実行して、得られた第３ＲＮＴＩで上記第２ＤＣＩをスクランブリングする数学スクランブリング手段と、上記第１ＲＮＴＩおよび第２ＲＮＴＩをそれぞれ使用して上記第２ＤＣＩを１回スクランブリングするシリアルスクランブリング手段とを含む。
【００８２】
上記第１シグナリング生成手段４１０は更に、上記ＭＣＣＨの数量、又は上記ＭＣＣＨの数量と上記ＭＣＣＨの変更された伝送内容とに基づき、予め設定されたビット長の中から一種のビット長を選定し、当該ビット長のＤＣＩを生成して第１ＤＣＩにする設定生成手段と、上記ＭＣＣＨの数量、又は上記ＭＣＣＨの数量と上記ＭＣＣＨの変更された伝送内容とに基づき、ＬＴＥシステムに既存のＤＣＩフォーマットの中から一種のＤＣＩフォーマットを選定し、当該ＤＣＩビット長と同じビット長を有するＤＣＩを生成して第１ＤＣＩにする選定生成手段とを少なくとも一つを含む。
【００８３】
上記設定生成手段は、上記ＭＣＣＨが一つのＭＣＣＨである場合、１ビット長のＤＣＩを生成して第１ＤＣＩにする第１手段と、上記ＭＣＣＨが一つのＭＣＣＨであり、且つ上記第１ＤＣＩで上記一つのＭＣＣＨの変更された伝送内容を伝送する場合、当該変更された伝送内容を表示するために必要とするビット長以上のビット長を有するＤＣＩを生成して第１ＤＣＩにする第２手段と、上記ＭＣＣＨが複数のＭＣＣＨである場合、Ｎビット長を有するＤＣＩを生成して第１ＤＣＩにし、上記複数のＭＣＣＨにおける各ＭＣＣＨに対して、第１ＤＣＩ内の当該ＭＣＣＨに対応するビットの値を当該ＭＣＣＨ伝送内容変更を表示するためのデータに設定し、上記Ｎが上記基地局３０がカバーするセルに収容されるＭＣＣＨの個数である第３手段と、上記ＭＣＣＨが複数のＭＣＣＨであり、且つ上記第１ＤＣＩで上記複数のＭＣＣＨの変更された伝送内容を伝送する場合、Ｎ個のデータセグメントを含むＤＣＩを生成して第１ＤＣＩにし、上記複数のＭＣＣＨにおける各ＭＣＣＨに対して、第１ＤＣＩ内の当該ＭＣＣＨに対応するデータセグメントの特定ビットの値を、当該ＭＣＣＨ伝送内容変更を表示するためのデータに設定し、又、当該データセグメント内の他のビットで当該ＭＣＣＨの変更された伝送内容を示す第４手段とのうちの一つ又は任意の組み合わせを含む。
【００８４】
上記設定生成手段は、上記ＭＣＣＨが一つのＭＣＣＨである場合、ＬＴＥシステムに既存の最小ビット長のＤＣＩフォーマットを選定し、当該ＤＣＩフォーマットと同じビット長を有するＤＣＩを生成して第１ＤＣＩにする第５手段と、上記ＭＣＣＨが一つのＭＣＣＨであり、且つ上記第１ＤＣＩで上記一つのＭＣＣＨの変更された伝送内容を伝送する場合、ＬＴＥシステムに既存の、当該変更された伝送内容を表示するために必要とするビット長以上のビット長を有するＤＣＩフォーマットを選定し、当該ＤＣＩフォーマットと同じビット長を有するＤＣＩを生成して第１ＤＣＩにし、上記一つのＭＣＣＨの変更された伝送内容を第１ＤＣＩに含ませる第６手段と、上記ＭＣＣＨが複数のＭＣＣＨである場合、ＬＴＥシステムに既存のＮビット以上のビット長を有するＤＣＩフォーマットを選定し、当該ＤＣＩフォーマットと同じビット長を有するＤＣＩを生成して第１ＤＣＩにし、上記複数のＭＣＣＨにおける各ＭＣＣＨに対して、第１ＤＣＩ内の当該ＭＣＣＨに対応するビットの値を当該ＭＣＣＨ伝送内容変更を表示するためのデータに設定し、上記Ｎは上記基地局３０がカバーするセルに収容されるＭＣＣＨの個数である第７手段と、上記ＭＣＣＨが複数のＭＣＣＨであり、且つ上記第１ＤＣＩで上記複数のＭＣＣＨの変更された伝送内容を伝送する場合、ＬＴＥシステムに既存の、Ｎ個のデータセグメントビット長以上のビット長を有するＤＣＩフォーマットを選定し、当該ＤＣＩフォーマットと同じビット長を有するＤＣＩを生成して第１ＤＣＩにし、上記複数のＭＣＣＨにおける各ＭＣＣＨに対して、第１ＤＣＩ内の当該ＭＣＣＨに対応するデータセグメントの特定ビットの値を、当該ＭＣＣＨ伝送内容変更を表示するためのデータに設定し、又、当該データセグメント内の他のビットで当該ＭＣＣＨの変更された伝送内容を指示する第８手段とのうちの一つ又は任意の組み合わせを含む。
【００８５】
図５に示したように、本発明の実施形態又、チャネル再検出システムに適用できる端末３１を提供し、当該端末３１は、ＰＤＣＣＨにおいて基地局３０から送信されたＭＣＣＨ伝送内容の変更通知を受信する変更通知受信手段５０と、上記通知により上記ＭＣＣＨを再検出するチャネル再検出手段５１とを含む。
【００８６】
上記変更通知受信手段５０は更に、上記ＰＤＣＣＨにおいてＤＣＩを受信するシグナリング受信手段５０１と、上記ＤＣＩのスクランブリング処理に使用したＲＮＴＩが第１ＲＮＴＩであるか否かを検出し、第１ＲＮＴＩである場合、上記ＤＣＩが上記ＭＣＣＨ伝送内容変更を通知するための第１ＤＣＩであり、上記第１ＲＮＴＩが上記第１ＤＣＩに対応する予め定義されたＲＮＴＩであると確認し、又は、上記ＤＣＩのスクランブリング処理に上記第１ＲＮＴＩおよびＬＴＥシステムにおけるセル専用の第２ＲＮＴＩを使用したか否かを検出し、使用した場合、上記ＤＣＩが上記第２ＲＮＴＩに対応する第２ＤＣＩであると確認し、当該第２ＤＣＩを上記ＭＣＣＨ伝送内容変更の通知シグナリングとするスクランブリング検出手段５０２とを含む。
【００８７】
上記スクランブリング検出手段５０２は、上記ＤＣＩのスクランブリング処理に使用したＲＮＴＩは第３ＲＮＴＩであるか否かを判断し、当該第３ＲＮＴＩが上記第１ＲＮＴＩおよび第２ＲＮＴＩに対して数学演算を実行して得られたＲＮＴＩであり、第３ＲＮＴＩである場合、上記ＤＣＩのスクランブリング処理に第１ＲＮＴＩおよび第２ＲＮＴＩを使用したと確認する第１検出手段と／又は上記第１ＲＮＴＩおよび第２ＲＮＴＩをそれぞれ使用して上記ＤＣＩを１回スクランブリングしたか否かを判断し、スクランブリングしたと判定する場合、上記ＤＣＩのスクランブリング処理に第１ＲＮＴＩおよび第２ＲＮＴＩを使用したと確認する第２検出手段とを含む。
【００８８】
上記チャネル再検査手段５１は、予め設定された通知送信時間とＭＣＣＨ識別子との第１対応関係に基づき、上記第１ＤＣＩ又は第２ＤＣＩを受信する時間に対応するＭＣＣＨ識別子を確認し、当該ＭＣＣＨ識別子に対応するＭＣＣＨを再検出する第１手段５１０と、予め設定されたＲＮＴＩとＭＣＣＨ識別子との第２対応関係に基づき、上記第１ＤＣＩ又は第２ＤＣＩのスクランブリング処理に使用されたＲＮＴＩに対応するＭＣＣＨ識別子を確認し、当該ＭＣＣＨ識別子に対応するＭＣＣＨを再検出する第２手段５１１と、予め設定されたビット位置とＭＣＣＨ識別子との第３対応関係に基づき、上記第１ＤＣＩ内の値が設定値であるビット位置に対応するＭＣＣＨ識別子を確認し、当該ＭＣＣＨ識別子に対応するＭＣＣＨに対して再検査する第３手段５１２と、上記第１ＤＣＩに含まれる各データセグメントの特定ビットの値を判断し、当該データセグメント内の特定ビットの値が設定値ある場合、予め設定されたデータセグメント位置とＭＣＣＨ識別子との第３対応関係に基づき、当該データセグメント位置に対応するＭＣＣＨ識別子を確認し、当該ＭＣＣＨ識別子に対応するＭＣＣＨを再検出する第４手段５１３とのうちの一つ又は任意の組み合わせを含む。
【００８９】
当該端末３１は更に、上記ＭＣＣＨの変更された全部の伝送内容が上記通知に含まれているか否かを判断する判断手段５２を含む。
この際、上記判断手段により上記ＭＣＣＨの変更された全部の伝送内容が上記判断手段に含まれていないと判断された場合、上記ＭＣＣＨを再検出する上記チャネル再検出ユニット手段５１とを含む。
【００９０】
上記説明したように、本発明の有益な効果は以下に記述する。
【００９１】
本発明の実施形態に係る技術案において、基地局３０は配置されたＭＣＣＨの伝送内容に変更があったと判断し、ＰＤＣＣＨによりＭＣＣＨ伝送内容の変更通知を端末３１に送信し、端末３１はＰＤＣＣＨにおいて基地局３０から送信されるＭＣＣＨ伝送内容の変更通知を受信した後、受信した通知により上記ＭＣＣＨを再検出する。
基地局３０がＭＣＣＨ伝送内容変更を端末３１に通知することにより、ＵＥはＭＣＣＨ伝送内容変更状況を了解できるようになり、変更があった際のみ当該ＭＣＣＨを再検査する。
当該ＭＣＣＨを周期的に再検査する必要を無くし、ＵＥがＭＣＣＨに対する不要なモニタリングを回避し、チャネルモニタリングするための端末リソースを節約できる。
【００９２】
無論、当業者により、上述した実施形態に記述された技術的な解決手段を改造し、又はその中の一部の技術要素を置換することもできる。
そのような改造と置換は本発明の各実施形態の技術の範囲から逸脱するとは見なされない。
【符号の説明】
【００９３】
３０    ・・・  基地局
３１    ・・・  端末
４０    ・・・  変更確認手段
４１    ・・・  変更通知手段
４１０  ・・・  第１シグナリング生成手段
４１１  ・・・  第１シグナリングスクランブリング手段
４１２  ・・・  第１シグナリング送信手段
４１３  ・・・  第２シグナリング生成手段
４１４  ・・・  第２シグナリングスクランブリング手段
４１５  ・・・  第２シグナリング送信手段
５０    ・・・  変更通知受信手段
５０１  ・・・  シグナリング受信手段
５０２  ・・・  スクランブリング検出手段
５１    ・・・  チャネル再検出手段
５１０  ・・・  第１手段
５１１  ・・・  第２手段
５１２  ・・・  第３手段
５１３  ・・・  第４手段
【国際調査報告】
2013500643.tif 000009
2013500643.tif 000010
2013500643.tif 000011
2013500643.tif 000012